(57)【要約】【課題】従来の表示駆動装置や表示信号転送装置の双方向に対する信号入出力機能を保持しつつ、面積低減や低消費電力化を図り、それらの装置を備える表示装置の実装面積縮小化や低消費電力化や低コスト化を図る。【解決手段】１つの受信回路、１つの送信回路を備え、またカスケード入力側の信号を受信回路に送り、また送信回路の出力信号をカスケード出力側に送るための受信選択制御回路と送信選択切換回路を備え、カスケード信号転送システムの信号転送の方向に応じて受信選択制御回路と送信選択切換回路を選択信号により切り替える制御を備える。これにより双方向の機能を備えたカスケード信号転送が可能な表示駆動装置において、１つの受信回路部と１つの送信回路部と受信選択制御回路と送信選択切換回路でカスケード接続の表示信号転送装置を構成できるため、従来よりも低消費電力化および低コスト化が可能となる。【選択図】図１３
2007171592.tif 000002
【特許請求の範囲】
【請求項１】
１つもしくは複数の信号を入力し、前記入力された信号に関連する１つもしくは複数の信号を出力する表示駆動装置において、
前記１つもしくは複数の信号を外部から入力するための第１の入力部と、
前記第１の入力部の入力信号を受信するための前記第１の入力部に対応する第１の受信回路と、
前記第１の入力部より入力された信号に関連する１つもしくは複数の信号を外部に出力するための第１の出力部および第２の出力部と、
前記第１の出力部および第２の出力部の出力信号を送信するための前記第１の出力部および第２の出力部に対応する第１の送信回路および第２の送信回路を備えたことを特徴とする表示駆動装置。
【請求項２】
請求項１記載の表示駆動装置において、
制御信号により、
前記表示駆動装置の外部から前記第１の入力部に入力された信号に関連する信号を前記第１の出力部から出力して、かつ前記第２の送信回路の送信動作を停止させて前記第２の送信回路で固定信号出力もしくはハイインピーダンス出力することで、前記第２の出力部からの出力信号を固定信号もしくはハイインピーダンス出力する機能を備え、
または前記表示駆動装置の外部から前記第１の入力部に入力された信号に関連する信号を前記第２の出力部から出力して、かつ前記第１の送信回路の送信動作を停止させて前記第１の送信回路で固定信号出力もしくはハイインピーダンス出力することで、前記第１の出力部からの出力信号を固定信号もしくはハイインピーダンス出力する機能を備える
ことを特徴とする表示駆動装置。
【請求項３】
１つもしくは複数の信号を入力し、前記入力された信号に関連する１つもしくは複数の信号を出力する表示駆動装置において、
前記１つもしくは複数の信号を外部から入力するための第１の入力部と、
前記第１の入力部の入力信号を受信するための前記第１の入力部に対応する第１の受信回路と、
前記第１の入力部より入力された信号に関連する１つもしくは複数の信号を出力するための第１および第２の出力部と、
前記第１および第２の出力部の出力信号を外部に送信するための前記第１および第２の出力部に対応する第１の送信回路と、
制御信号により前記第１の出力部あるいは前記第２の出力部のどちらか一方と前記第１の送信回路とを対応付ける出力選択切換回路を備えたことを特徴とする表示駆動装置。
【請求項４】
請求項１、３記載の表示駆動装置において、
前記第１の出力部と前記第２の出力部の位置はそれぞれ第１の入力部までの位置よりも物理的に離れており、前記第１の入力部の位置は前記表示駆動装置の外形周囲辺の前記第１の出力部と前記第２の出力部の位置の間に配置される
ことを特徴とする表示駆動装置。
【請求項５】
請求項４記載の表示駆動装置において、
複数の入力端子で構成される第１の入力部の第１、第２および第３の入力端子に入力した転送信号に関連する信号の出力を行うための複数の出力端子で構成される第１の出力部の第１、第２および第３の出力端子と第２の出力部の第１および第２および第３の出力端子で、前記表示駆動装置の外形周囲辺に沿って前記第１の入力部の入力端子を第１、第２、第３の順番で端子配置して、かつ前記第１および第２の出力部の出力端子をそれぞれ入力端子とは逆の順番で第３、第２、第１で端子配置することを特徴とする表示信号転送装置
。
【請求項６】
請求項４記載の表示駆動装置において、
前記表示駆動装置の電源供給のために、前記第１の入力部と前記第１の出力部との間に第１の電源部を配置し、かつ前記表示駆動装置の前記第１の入力部と前記第２の出力部との間に第２の電源部を配置することを特徴とする表示駆動装置。
【請求項７】
１つもしくは複数の信号を入力し、前記入力された信号に関連する１つもしくは複数の信号を出力する表示駆動装置において、
前記１つもしくは複数の信号を入出力するための第１の入出力部および第２の入出力部と、
前記第１の入出力部あるいは第２の入出力部のどちらか一方の入出力部の入力信号を受信するための第１の受信回路と、
前記入力された信号に関連する１つもしくは複数の信号を他方の入出力部から出力送信するための第１の入出力部あるいは第２の入出力部に対応する第１の送信回路あるいは第２の送信回路と、
前記第１の入出力部あるいは前記第２の入出力部のどちらか一方と前記第１の受信回路とを対応付ける第１の受信選択切換回路と、
前記第１の受信選択切換回路の動作に連動して第１の入出力部と第１の送信回路とを対応付ける第１の送信選択切換回路と、
第２の入出力部と第２の送信回路とを対応付ける第２の送信選択切換回路とを備えたことを特徴とする表示駆動装置。
【請求項８】
１つもしくは複数の信号を入力し、前記入力された信号に関連する１つもしくは複数の信号を出力する表示駆動装置において、
前記１つもしくは複数の信号を入出力するための第１の入出力部および第２の入出力部と、
前記第１の入出力部あるいは第２の入出力部のどちらか一方の入出力部の入力信号を受信するための第１の受信回路と、
前記入力された信号に関連する１つもしくは複数の信号を他方の入出力部から出力送信するための第１の送信回路と、
前記第１の入出力部あるいは前記第２の入出力部のどちらか一方と前記第１の受信回路とを対応付ける第１の受信選択切換回路と、
前記第１の受信選択切換回路の動作に連動して他方の入出力部と前記第１の送信回路とを対応付ける第１の送信選択切換回路とを備えたことを特徴とする表示駆動装置。
【請求項９】
請求項７、８記載の表示駆動装置において、
前記表示駆動装置の電源供給のために、前記表示信号転送装置を構成する表示駆動装置は前記第１の入出力部と前記第２の入出力部の間に第１の電源部を備えたことを特徴とする表示駆動装置。
【請求項１０】
表示駆動装置を複数備え、互いにカスケード接続された表示信号転送装置において、
前記表示駆動装置の前記送信回路の出力部に対応する送信動作または送信停止の動作制御切り替え期間に連動させて、次段の前記表示駆動装置の入力部に対応する前記受信回路を受信動作または受信停止させる機能を備え、
また前記表示駆動装置の前記受信回路の入力部に対応する受信動作または受信停止の動作制御切り替え期間に連動させて、前段の前記表示駆動装置の出力部に対応する前記送信回路を送信動作または送信停止させる機能を備えたことを特徴とする表示信号転送装置。
【請求項１１】
請求項１０記載の表示信号転送装置において、
制御信号により、最終段の前記表示駆動装置にかかる送信回路を常時停止させる機能を備え、クロックおよび複数の表示駆動装置に共通の制御信号の少なくとも１つの信号にかかる受信回路および送信回路を除く全ての受信回路および送信回路を停止させる機能を備える
ことを特徴とする表示信号転送装置。
【請求項１２】
複数の画素を備え、各画素を構成する表示素子にデータ信号に関する電気信号を印加することによって表示を行う表示装置において、
表示装置のデータ信号やクロックや制御信号を転送する制御装置を前記表示装置に構成される前記表示駆動装置に入力して、前記表示駆動装置のデータ信号およびクロックおよび制御信号の転送信号に関して複数の表示駆動装置の間で順次カスケード接続される前記入力部や出力部や入出力部と前記電源部を前記表示駆動装置の外形周囲辺の同じ一端側に配置して、その一端側と異なる前記表示駆動装置の外形周囲辺の一端側とそれに対面した一端側の少なくとも一端側に前記表示素子を駆動するための基準電圧を生成する基準電圧生成回路の基準電圧入力部を配置して、複数の前記表示駆動装置でそれぞれ前記入力部や出力部や入出力部および前記電源部および前記基準電圧入力部を同一層でカスケード接続する手段を備えたことを特徴とする表示装置。
【発明の詳細な説明】
【技術分野】
【０００１】
この発明は、表示駆動装置、および複数の表示駆動装置をカスケード接続して信号を順次転送する表示信号転送装置に関するものであり、特に複数の画素を備えて各画素を構成する表示素子に表示データに応じた電気信号を印加することで表示を行う表示装置に関する。
【背景技術】
【０００２】
＜従来の構成＞
近年、液晶表示装置のような複数画素を備えるフラットパネルディスプレイなどの表示装置は大画面化、高精細化するとともに、薄型軽量化および低コスト化が進んできている。一般的な液晶表示装置において、複数の画素を構成する液晶素子に表示データに応じた電圧信号を印加するために、表示駆動装置をパネルガラス上の上部水平方向に実装する。それら複数の表示駆動装置を液晶表示装置の制御装置から制御するために、制御信号の信号伝送路や電源供給の電源伝送路の配線が形成されたＰＣＢやＦＰＣの基板を用いて、ＰＣＢとパネルガラスをＦＰＣによって接続する。
【０００３】
そのような背景の中で、図２１に示すように、実装面積低減や実装簡素化の方法として、複数の表示駆動装置をカスケード接続してそれぞれの表示駆動装置の内部を経由して表示データなどの信号を順次転送する表示信号転送装置によって液晶表示装置の表示素子を駆動する方法がある。この表示駆動装置をカスケード接続する表示信号転送装置の場合、表示データなどの信号を転送するための伝送路は互いの表示駆動装置間のパネルガラス上に形成される。これによりＰＣＢやＦＰＣの基板に表示データなどの伝送路の形成が不要となり、ＰＣＢやＦＰＣの基板面積が削減できるため、かつパネルガラスやＰＣＢとＦＰＣとの接続実装が簡素化でき、接続実装効率が向上できるため、軽量化や低コスト化を図ることができる特長を持つ。通常使用上での表示信号転送装置はカスケード接続された一方向で行われるが、他のパネル装置への適用の利便性から、表示駆動装置およびそれらを複数備える表示信号転送装置には、信号転送をカスケード方向に対して一方向だけでなく双方向に対応する仕様が求められる。
【０００４】
従来の表示駆動装置および表示信号転送装置の構成を図１７〜図２０に示す。
【０００５】
従来の表示信号転送装置において、１番目の初段の表示駆動装置からＭ番目の最終段の表示駆動装置の構成で、ｋ番目（ｋ、Ｍは１≦ｋ＜Ｍの自然数）にカスケード接続された表示駆動装置Ｄ９０１（ｋ）は、第１の入出力部Ｗ１（ｋ）の入出力端子Ｗ１（ｋ、１）〜Ｗ１（ｋ、ｎ）（ｎは自然数）および第２の入出力部Ｗ２（ｋ）の入出力端子Ｗ２（ｋ、１）〜Ｗ２（ｋ、ｎ）を備え、入出力端子Ｗ１（ｋ、１）〜Ｗ１（ｋ、ｎ）に対応して表示駆動装置Ｄ９０１（ｋ）の内部に送信回路ＴＸ９１１（ｋ、１）〜ＴＸ９１１（ｋ、ｎ）と受信回路ＲＸ９１１（ｋ、１）〜ＲＸ９１１（ｋ、ｎ）を備え、入出力端子Ｗ２（ｋ、１）〜Ｗ２（ｋ、ｎ）に対応して表示駆動装置Ｄ９０１（ｋ）の内部に送信回路ＴＸ９１２（ｋ、１）〜ＴＸ９１２（ｋ、ｎ）と受信回路ＲＸ９１２（ｋ、１）〜ＲＸ９１２（ｋ、ｎ）を備え、表示駆動装置Ｄ９０１（ｋ）の制御や転送信号の処理やラッチ処理などための制御回路Ｃ９２０（ｋ）を表示駆動装置Ｄ９０１（ｋ）の内部に備え、送信回路ＴＸ９１１（ｋ、１）〜ＴＸ９１１（ｋ、ｎ）と受信回路ＲＸ９１１（ｋ、１）〜ＲＸ９１１（ｋ、ｎ）と、また送信回路ＴＸ９１２（ｋ、１）〜ＴＸ９１２（ｋ、ｎ）と受信回路ＲＸ９１２（ｋ、１）〜ＲＸ９１２（ｋ、ｎ）と制御回路Ｃ９２０（ｋ）は表示駆動装置Ｄ９０１（ｋ）の内部配線により接続される。送信回路ＴＸ９１１（ｋ、１）〜ＴＸ９１１（ｋ、ｎ）と受信回路ＲＸ９１１（ｋ、１）〜ＲＸ９１１（ｋ、ｎ）は物理的にそれ
ぞれ近傍に位置され、また送信回路ＴＸ９１２（ｋ、１）〜ＴＸ９１２（ｋ、ｎ）と受信回路ＲＸ９１２（ｋ、１）〜ＲＸ９１２（ｋ、ｎ）は物理的に互いに近傍に位置される。（ｋ＋１）番目の表示駆動装置Ｄ９０１（ｋ＋１）はｋ番目の表示駆動装置Ｄ９０１（ｋ）と構成が同等であり、送信回路ＴＸ９１１（ｋ＋１、１）〜ＴＸ９１１（ｋ＋１、ｎ）は、ｋ番目の表示駆動装置Ｄ９０１（ｋ）の送信回路ＴＸ９１１（ｋ、１）〜ＴＸ９１１（ｋ、ｎ）に相当する。同様に、送信回路ＴＸ９１２（ｋ＋１、１）〜ＴＸ９１２（ｋ＋１、ｎ）と、受信回路ＲＸ９１１（ｋ＋１、１）〜ＲＸ９１１（ｋ＋１、ｎ）およびＲＸ９１２（ｋ＋１、１）〜ＲＸ９１２（ｋ＋１、ｎ）と、制御回路Ｃ９２０（ｋ＋１）と、入出力端子Ｗ１（ｋ＋１、１）〜Ｗ１（ｋ＋１、ｎ）およびＷ２（ｋ＋１、１）〜Ｗ１（ｋ＋１、ｎ）は、それぞれｋ番目の表示駆動装置Ｄ９０１（ｋ）の送信回路ＴＸ９１２（ｋ、１）〜ＴＸ９１２（ｋ、ｎ）と、受信回路ＲＸ９１１（ｋ、１）〜ＲＸ９１１（ｋ、ｎ）およびＲＸ９１２（ｋ、１）〜ＲＸ９１２（ｋ、ｎ）と、制御回路Ｃ９２０（ｋ）と、入出力端子Ｗ１（ｋ、１）〜Ｗ１（ｋ、ｎ）およびＷ２（ｋ、１）〜Ｗ１（ｋ、ｎ）に相当する。
【０００６】
ｋ番目の表示駆動装置Ｄ９０１（ｋ）の第１の入出力部Ｗ１（ｋ）の入出力端子Ｗ１（ｋ、１）〜Ｗ１（ｋ、ｎ）は、（ｋ−１）番目の表示駆動装置の第２の入出力部と接続され、ｋ番目の表示駆動装置Ｄ９０１（ｋ）の第１の入出力部Ｗ２（ｋ）の入出力端子Ｗ２（ｋ、１）〜Ｗ２（ｋ、ｎ）は、（ｋ＋１）番目の表示駆動装置Ｄ９０１（ｋ＋１）の第１の入出力部Ｗ１（ｋ＋１）の入出力端子Ｗ１（ｋ＋１、１）〜Ｗ１（ｋ＋１、ｎ）と接続される。同様に、（ｋ＋１）番目の表示駆動装置Ｄ９０１（ｋ＋１）の第２の入出力部Ｗ２（ｋ＋１）の入出力端子Ｗ２（ｋ＋１、１）〜Ｗ２（ｋ＋１、ｎ）は、（ｋ＋２）番目の表示駆動装置の第１の入出力部と接続される。同様に、最終段のＭ番目の表示駆動装置まで表示駆動装置の間を接続する。
【０００７】
図３８と図３９と図４０に受信回路の構成例を示す。図３８は差動信号Ｖｉｎ＋およびＶｉｎ−の入力に対して、シングルエンド信号Ｖｏｕｔを制御回路に出力するコンパレータ型の受信回路である。図３９および図４０はシングルエンド信号Ｖｉｎの入力に対して、シングルエンド信号Ｖｏｕｔを制御回路に出力するバッファ型の受信回路である。それぞれの受信回路はイネーブル信号により受信動作あるいは受信停止の制御機能を備え、受信回路の出力はハイインピーダンスもしくは固定信号となる。
【０００８】
図４１と図４２と図４３に送信回路の構成例を示す。図４１はシングルエンド信号Ｖｉｎ＋およびその逆相信号Ｖｉｎ−の入力に対して、差動信号Ｖｏｕｔ＋およびＶｏｕｔ−の差動信号を出力する送信回路である。図４２および図４３はシングルエンド信号Ｖｉｎの入力に対して、シングルエンド信号Ｖｏｕｔを出力する送信回路である。それぞれの送信回路はイネーブル信号により送信動作あるいは送信停止の制御機能を備え、送信回路の出力はハイインピーダンスもしくは固定信号となる。
【０００９】
従来の表示装置は、図２１に示すように、ソースドライバやゲートドライバの表示駆動装置およびそれらをカスケード接続する表示信号転送装置を備える。液晶パネルは、液晶パネルガラス上に構成されたＴＦＴのゲート側を駆動するゲートドライバと、ＴＦＴのソース（ドレイン）側を駆動するソースドライバとを実装して、液晶パネルの制御装置（コントローラＬＳＩなど）や電源装置を実装したＰＣＢをＦＰＣによって液晶パネルガラスと接続する。制御装置や電源装置から近いＦＰＣを介してゲートドライバに制御信号やクロック信号や電源を供給し、またソースドライバに制御信号やクロック信号や表示信号や液晶素子を駆動するための基準電圧を供給する。ソースドライバへの電源供給はＰＣＢからソースドライバに近いＦＰＣを介して行う。
【００１０】
＜従来の動作＞
次に、図１７に示した表示信号転送装置Ｓ９００−Ａおよび表示駆動装置Ｄ９０１（ｋ）とＤ９０１（ｋ＋１）による動作について説明する。
【００１１】
１番目の表示駆動装置Ｄ９０１（１）の第１の入出力部Ｗ１（１）の入出力端子Ｗ１（１、１）〜Ｗ１（１、ｎ）に外部装置（例えば、表示装置制御ＬＳＩ）から転送信号Ｎ１〜Ｎｎの入力を行い、２段目以降のｋ番目の表示駆動装置Ｄ９０１（ｋ）において、受信回路ＲＸ９１１（ｋ、１）〜ＲＸ９１１（ｋ、ｎ）で、カスケード接続された（ｋ−１）番目の表示駆動装置からの送信される転送信号Ｎ１〜Ｎｎを受信する。制御回路Ｃ９２０（ｋ）で、表示駆動装置Ｄ９０１（ｋ）の制御や表示信号のクロックによるラッチ処理や、次段の表示駆動装置Ｄ９０１（ｋ＋１）に転送するための信号処理を行い、（ｋ＋１）番目の表示駆動装置Ｄ９０１（ｋ＋１）以降で処理する転送信号Ｎ１〜Ｎｎを、送信回路ＴＸ９１２（ｋ、１）〜ＴＸ９１２（ｋ、ｎ）によって送信する。そして、送信された転送信号Ｎ１〜Ｎｎは（ｋ＋１）番目の表示駆動装置Ｄ９０１（ｋ＋１）において、受信回路ＲＸ９１１（ｋ＋１、１）〜ＲＸ９１１（ｋ＋１、ｎ）で受信し、制御回路Ｃ９２０（ｋ＋１）で、制御回路Ｃ９２０（ｋ）と同様に、表示駆動装置Ｄ９０１（ｋ＋１）の制御や表示信号のラッチ処理や、次段の表示駆動装置Ｄ９０１（ｋ＋２）に転送するための信号処理を行い、（ｋ＋２）番目の表示駆動装置Ｄ９０１（ｋ＋２）（図示せず）以降で処理する転送信号Ｎ１〜Ｎｎを、送信回路ＴＸ９１２（ｋ＋１、１）〜ＴＸ９１２（ｋ＋１、ｎ）によって送信する。（ｋ＋２）番目以降の表示駆動装置においても同様の動作が順次行われる。
【００１２】
次に、図１８に示した表示信号転送装置Ｓ９００−Ｂおよび表示駆動装置Ｄ９０１（ｋ）とＤ９０１（ｋ＋１）による動作について説明する。図１８は図１７の転送信号の方向とは逆方向の関係である。Ｍ番目の表示駆動装置Ｄ９０１（Ｍ）の第２の入出力部Ｗ２（Ｍ）の入出力端子Ｗ２（Ｍ、１）〜Ｗ２（Ｍ、ｎ）に外部装置（例えば、表示装置制御ＬＳＩ）から転送信号Ｎ１〜Ｎｎの入力を行い、２段目以降の（ｋ＋１）番目の表示駆動装置Ｄ９０１（ｋ＋１）の受信回路ＲＸ９１２（ｋ＋１、１）〜ＲＸ９１２（ｋ＋１、ｎ）は、カスケード接続された（ｋ＋２）番目の表示駆動装置からの送信される転送信号Ｎ１〜Ｎｎを受信し、制御回路Ｃ９２０（ｋ＋１）によって表示駆動装置Ｄ９０１（ｋ＋１）の制御や表示信号のラッチ処理や次段の表示駆動装置Ｄ９０１（ｋ）に転送するための信号処理を行い、ｋ番目の表示駆動装置Ｄ９０１（ｋ）以降で処理する転送信号Ｎ１〜Ｎｎを、送信回路ＴＸ９１１（ｋ＋１、１）〜ＴＸ９１１（ｋ＋１、ｎ）によって送信する。そして、送信された転送信号Ｎ１〜Ｎｎはｋ番目の表示駆動装置Ｄ９０１（ｋ）において、受信回路ＲＸ９１２（ｋ、１）〜ＲＸ９１２（ｋ、ｎ）で受信し、制御回路Ｃ９２０（ｋ）によって表示駆動装置Ｄ９０１（ｋ）の制御や表示信号のラッチ処理や次段の表示駆動装置Ｄ９０１（ｋ−１）に転送するための信号の制御処理を行い、（ｋ−１）番目の表示駆動装置Ｄ９０１（ｋ−１）以降で処理する転送信号Ｎ１〜Ｎｎを、送信回路ＴＸ９１１（ｋ、１）〜ＴＸ９１１（ｋ、ｎ）によって送信する。（ｋ−１）番目以降の表示駆動装置において、同様の動作が行われる。
【００１３】
次に、図２１に示すような前記表示信号転送装置を備えた表示装置においては、それぞれの表示駆動装置で順次クロックでラッチ処理された表示信号に関する電気信号をＴＦＴのソースドライバ出力電圧として図２２の表示装置の液晶素子に対して出力して印加することで表示を行われる。このとき、液晶素子に印加される電気信号の電圧値は表示駆動装置のソースドライバの基準電圧値によって決定され、６ビット対応のソースドライバでは６４階調、８ビット対応のソースドライバでは２５６階調の基準電圧の選択出力ができる。
【特許文献１】特開２００１−１７５２２６号公報
【特許文献２】特開２００３−１６７５６０号公報
【発明の開示】
【発明が解決しようとする課題】
【００１４】
従来の表示駆動装置および表示信号転送装置では、双方向の信号転送動作に対応するために１つの転送信号の入出力端子に対して、１組の受信回路と送信回路を入出力端子数に応じてそれぞれ備えている。通常の使用においては、カスケード接続方向に対して一方向での信号転送動作が行われるため、図１７のような場合では、カスケード接続における信号転送方向を選択する信号によって転送方向が決定されて、同時にこのときのｋ番目の表示駆動装置Ｄ９０１（ｋ）では、回路ＴＸ９１１（ｋ、１）〜ＴＸ９１１（ｋ、ｎ）、および受信回路ＲＸ９１２（ｋ、１）〜ＲＸ９１２（ｋ、ｎ）は信号転送動作には関与しない。この場合の送信回路ＴＸ９１１（ｋ、１）〜ＴＸ９１１（ｋ、ｎ）、および受信回路ＲＸ９１２（ｋ、１）〜ＲＸ９１２（ｋ、ｎ）は信号転送システムの使用上不要となる。このようにカスケード接続の信号転送方向に応じて信号転送動作が不要となる受信回路および送信回路は、その回路面積確保によるコストアップや信号転送使用時には消費電力アップに繋がる。
【００１５】
本発明は、従来と同等のカスケード接続対応の表示駆動装置および表示信号転送装置において双方向の信号転送の手段を備えつつ、かつ、受信回路また送信回路を削減する装置構成にすることで、従来よりも低消費電力化および低コスト化が図ることができることを提供する表示駆動装置および表示信号転送装置に関するものであり、またそれらの装置を備える表示装置に関するものである。
【課題を解決するための手段】
【００１６】
この発明の１つの局面に従うと、表示駆動装置は、１つもしくは複数の入力端子で構成される第１の入力部と、前記第１の入力部に対応する第１の受信回路と、１つもしくは複数の出力端子で構成される第１および第２の出力部と、前記第１および第２の出力部に対応する第１および第２の送信回路とをそれぞれ備える。前記第１の入力部に前記表示駆動装置の外部からの信号を入力して、前記第１の入力部に入力された信号を前記第１の受信回路によって受信する。入力された信号に関連する信号を前記第１および第２の送信回路によって送信して、送信信号を前記第１および第２の出力部から前記表示駆動装置の外部へ信号を出力する。
【００１７】
前記表示駆動装置では、表示駆動装置における受信回路を削減することができ、受信回路の回路面積が削減できるため、低コスト化を図ることができる。
【００１８】
好ましくは、制御信号によって、前記第１あるいは第２の送信回路の送信動作を停止させる機能を備え、もしくは前記第１あるいは第２の出力部をハイインピーダンスあるいは固定信号出力する機能を備える。前記第１の入力部に入力された信号に関連する信号を前記第１の出力部より出力する場合は、前記第２の送信回路を停止させ、もしくは前記第２の出力部をハイインピーダンスあるいは固定信号出力する機能を備える。また、前記第１の入力部に入力する信号に関連する信号を前記第２の出力部より出力する場合は、前記第１の送信回路を停止させる機能もしくは前記第１の出力部ハイインピーダンスあるいは固定信号出力する機能を備える。
【００１９】
このように構成すれば、２つの出力部のどちらか１つの出力部からの出力を制御信号によって出力制御する機能を備え、外部出力に応じて不要となる送信回路の動作を制御することで、低消費電力化を図ることができる。
【００２０】
好ましくは、表示駆動装置は、１つもしくは複数の入力端子で構成される第１の入力部と、前記第１の入力部に対応する第１の受信回路と、１つもしくは複数の出力端子で構成される第１および第２の出力部と、前記第１および第２の出力部に共通対応する第１の送
信回路とを備え、また制御信号によって、前記第１の送信回路と前記第１あるいは第２の出力部とを対応付ける出力選択切換回路を備える。前記出力選択切換回路は出力端子数に応じて複数個を備える。前記第１の入力部に前記表示駆動装置の外部からの信号を入力して、入力された信号を前記第１の受信回路によって受信する。入力された信号に関連する信号を前記第１の送信回路によって送信して、送信信号を前記第１および第２の出力部から外部へ信号を出力する。また制御信号によって前記出力選択切換回路によって前記第１および第２の出力部の２つの出力部のどちらか一方の出力部からの出力を切り換える機能を備える。
【００２１】
このように構成すれば、２つの出力部に対応する送信回路を共用することで、送信回路の回路面積が削減できるため、より低コスト化を図ることができる。
【００２２】
好ましくは、前記の表示駆動装置における前記第１の入力部と前記第１および第２の出力部において、前記第１の入力部を表示駆動装置の外形周囲辺で、前記第１の出力部と第２の出力部の間の位置に配置する。
【００２３】
このように構成すれば、１つの入力部に対して、２つの出力部の位置を対称に配置することで、隣接する表示駆動装置との接続を同一層で行うことができ、低コスト化を図ることができる。
【００２４】
好ましくは、前記表示駆動装置は、前記第１の入力部の第１および第２および第３の入力端子に対して、前記第１の入力部の第１の入力端子に近い順に、前記第１の出力部の第１、第２、第３の出力端子を配置する。一方、前記第１の入力部の第３の入力端子に近い順に、前記第２の出力部の第３、第２、第１の出力端子を配置する。前記表示駆動装置では、前記第１の入力部の第１の入力端子に入力した信号に関連した信号を前記第１または前記第２の出力部の第１の出力端子から出力する。同様に、前記第１の入力部の第２の入力端子に入力した信号に関連した信号を前記第１または前記第２の出力部の第２の出力端子から出力し、前記第１の入力部の第３の入力端子に入力した信号に関連した信号を前記第１または前記第２の出力部の第３の出力端子から出力する。
【００２５】
このように構成すれば、複数の転送信号配線を対応する端子同士で複数の前記表示駆動装置でカスケード接続する場合、それぞれの転送信号配線を交差せずに、また転送信号配線を同一単層で複数の前記表示駆動装置を接続することができるため、低コスト化を図ることができる。
【００２６】
好ましくは、前記表示駆動装置は前記第１の入力部と前記第１の出力部の間に第１の電源部および固定制御信号部を備え、また前記第１の入力部と前記第２の出力部の間に第２の電源部および固定制御信号部を備える。
【００２７】
このように構成すれば、２つの電源部を備えることで、複数の前記表示駆動装置をカスケード接続する場合のそれぞれの前記表示駆動装置の間の転送信号にかかる接続配線と交差せずに、前記表示駆動装置に対して電源部に電気的供給配線で接続することができ、また各表示駆動装置間のカスケード接続配線と電源供給配線を一単層で形成することができるため、配線形成が簡単化でき、低コスト化が図ることができる。
【００２８】
この発明のもう１つの局面に従うと、表示駆動装置は、１つもしくは複数の入出力端子で構成される第１および第２の入出力部と、前記第１および第２の入出力部に対応する第１の受信回路と、前記第１の入出力部に対応する第１の送信回路と、前記第２の入出力部に対応する第２の送信回路と、制御信号によって前記第１あるいは第２の入出力部のいずれかに対応付ける第１の受信選択切換回路と、前記第１の受信選択切換回路の対応付けに
応じて前記第１の入出力部と前記第１の送信回路を対応付ける第１の送信選択切換回路と、また同様に前記第２の入出力部と前記第２の送信回路を対応付ける第２の送信選択切換回路とを備える。前記第１の受信選択切換回路と第１および第２の送信選択切換回路は、第１の選択切換モードと第２の選択切換モードを有する。前記第１の選択切換モードでは、前記第１の受信選択切換回路によって前記第１の入出力部と前記第１の受信回路を対応付け、かつ前記第２の送信選択切換回路によって前記第２の入出力部と前記第２の送信回路を対応付ける。一方、前記第２の選択切換モードでは、前記第１の受信選択切換回路によって前記第２の入出力部と前記第１の受信回路を対応付け、かつ前記第１の送信選択切換回路によって前記第１の入出力部と前記第１の送信回路を対応付ける。
【００２９】
このように構成すれば、２つの入出力部に対して１つの受信回路を削減することができ、受信回路の回路面積が削減できるため、さらなる低コスト化を図ることができる。
【００３０】
この発明のさらにもう１つの局面に従うと、表示駆動装置は、１つもしくは複数の入出力端子で構成される第１および第２の入出力部と、前記第１および第２の入出力部に対応する第１の受信回路および第１の送信回路と、制御信号によって前記第１の入出力部あるいは前記第２の入出力部と前記第１の受信回路とを対応付ける第１の受信選択切換回路と、また前記第１の入出力部あるいは前記第２の入出力部と前記第１の送信回路とを対応付ける第１の送信選択切換回路を備える。前記第１の受信選択切換回路および第１の送信選択切換回路は入出力端子数に応じて複数個を備える。前記第１の受信選択切換回路および第１の送信選択切換回路は、第１の選択切換モードと第２の選択切換モードを有する。前記第１の選択切換モードでは、前記第１の受信選択切換回路によって前記第１の入出力部と前記第１の受信回路を対応付け、かつ前記第１の送信選択切換回路によって前記第２の入出力部と前記第１の送信回路を対応付ける。一方、前記第２の選択切換モードでは、前記第１の受信選択切換回路によって前記第２の入出力部と前記第１の受信回路を対応付け、かつ前記第１の送信選択切換回路によって前記第１の入出力部と前記第１の送信回路を対応付ける。
【００３１】
このように構成すれば、２つの入出力部に対して１つの受信回路および１つの送信回路を削減することができ、受信回路および送信回路の回路面積が削減できるため、さらなる低コスト化を図ることができる。
【００３２】
好ましくは、前記表示駆動装置は前記第１および前記第２の入出力部の間に第１の電源部を備える。
【００３３】
このように構成すれば、複数の前記表示駆動装置をカスケード接続する場合のそれぞれの転送信号配線と交差せずに、複数の前記表示駆動装置に対して電源部に電気的供給配線で接続することができ、各表示駆動装置間のカスケード接続配線と電源供給配線を同一単層で形成することができため、配線形成が簡素化でし、低コスト化を図ることができる。
【００３４】
この発明の別の局面に従うと、複数の前記表示駆動装置で構成される表示信号転送装置は、前記表示駆動装置の送信回路の動作および停止の制御に連動させて、次段の前記表示駆動装置の受信回路の動作および停止を行い、または前記表示駆動装置の受信回路の動作および停止の制御に連動させて、前段の前記表示駆動装置の送信回路の動作および停止を行う機能を備える。
【００３５】
このように構成すれば、複数の前記表示駆動装置をカスケード接続する場合の受信回路の受信動作や送信回路の送信動作を制御することで、それぞれの表示駆動装置で不要な信号の転送を制御して、低消費電力化を図ることができる。
【００３６】
好ましくは、前記表示信号転送装置は、制御信号によって前記表示信号転送装置の最終段の表示駆動装置の送信回路を常に停止させ、かつ表示信号転送装置で使用するクロックや共通制御信号で前記クロックや共通制御信号の少なくとも１つの信号の転送にかかる受信回路や送信回路を動作させて初段から最終段まで転送し、それ以外の信号の転送にかかる受信回路や送信回路を全て停止させる機能を備える。
【００３７】
このように構成すれば、初段から最終段までの複数の前記表示駆動装置を制御装置より一括制御でき、前記表示信号転送装置の不要な転送信号動作を抑制することで、効果的に低消費電力化の制御ができ、安定した信号転送装置を提供することができる。
【００３８】
また、この発明のさらに別の局面に従うと、複数の画素を備え、各画素を構成する表示素子にデータ信号に関する電気信号を印加することによって表示を行う表示装置は、前記表示駆動装置あるいは表示信号転送装置を備え、かつ表示素子を駆動するための基準電圧を生成する基準電圧生成回路の基準電圧入力部を表示駆動装置に備え、複数の前記表示駆動装置を順次カスケード接続した表示信号転送装置を備える。カスケード接続された転送信号のための前記入力部および出力部や前記入出力部や前記電源部を表示駆動装置の外形周囲辺の同じ一端側に配置する。前記入力部が配置された一端側と異なる一端側とそれに対面した一端側の少なくともどちらか１つの一端側に前記基準電圧入力部を配置する。
【００３９】
このように構成すれば、従来よりも少ない受信回路および送信回路を備える表示駆動装置、または複数のカスケード接続の転送信号配線や電源配線はパネルガラス上の同一単層で形成した配線で交差することなく、転送信号の双方向化に対応でき、より低消費電力化でき、より低コスト化できる。かつ基準電圧入力部を他の信号端子と異なる表示駆動装置の外形周囲辺に端側に配置することで、基準電圧入力部に繋がる接続配線に対しての他の配線からの影響をなるべく抑えことができる。
【発明の効果】
【００４０】
以上のように、表示駆動装置をカスケード接続する表示信号転送装置で、従来と同等に信号転送の双方向に対応できる一方で、従来装置より回路面積および転送装置面積の縮小化や、低消費電力化や低コスト化が図れる。またそれらの装置を備えることで、従来の表示装置よりも実装面積が削減でき、かつ低消費電力化および低コスト化が図ることができる表示装置を提供することができる。
【発明を実施するための最良の形態】
【００４１】
以下、図面を参照して、この発明の実施の形態を詳しく説明する。なお、図中同一または相当部分には同一の符号を付しその説明は繰り返さない。
【００４２】
（第１の実施形態）
＜構成＞
この発明の第１の実施形態による表示信号転送装置とｋ番目および（ｋ＋１）番目の表示駆動装置の接続構成を図１〜図６に示し、出力選択切換回路の構成を図２３〜図３０に示す。この実施形態による表示信号転送装置は、Ｍ個の表示駆動装置を備える。ｋ番目の表示駆動装置Ｄ１０１（ｋ）またＤ２０１（ｋ）は、入力部Ｘ１（ｋ）と、出力部Ｙ１（ｋ）およびＹ２（ｋ）と、入力部Ｘ１（ｋ）に対応する受信回路部ＲＸ１１１（ｋ）と、制御回路Ｃ１２０（ｋ）あるいはＣ２２０（ｋ）とを備える。入力部Ｘ１（ｋ）はｎ個の入力端子Ｘ１（ｋ、１）〜Ｘ１（ｋ、ｎ）を備え、出力部Ｙ１（ｋ）はｎ個の出力端子Ｙ１（ｋ、１）〜Ｙ１（ｋ、ｎ）を備え、出力部Ｙ２（ｋ）はｎ個の出力端子Ｙ２（ｋ、１）〜Ｙ２（ｋ、ｎ）を備える。受信回路部ＲＸ１１１（ｋ）は、ｎ個の受信回路ＲＸ１１１（ｋ、１）〜ＲＸ１１１（ｋ、ｎ）を備える。また、表示駆動装置を構成する受信回路や送信回路や制御回路に電源や固定制御信号の電気供給を行うために、電源部Ｐ１３１（
ｋ）とＰ１３２（ｋ）を備える。電源部Ｐ１３１（ｋ）をｋ番目の表示駆動装置Ｄ１０１（ｋ）またＤ２０１（ｋ）の外形周囲辺において、入力部Ｘ１（ｋ）と出力部Ｙ１（ｋ）の間に配置して、電源部Ｐ１３２（ｋ）を入力部Ｘ１（ｋ）と出力部Ｙ２（ｋ）の間に配置する。
【００４３】
ｋ番目の表示駆動装置Ｄ１０１（ｋ）またＤ２０１（ｋ）において、入力部Ｘ１（ｋ）と受信回路部ＲＸ１１１（ｋ）とを接続し、それぞれ入力端子Ｘ１（ｋ、１）と受信回路ＲＸ１１１（ｋ、１）とを接続して、同様に入力端子Ｘ１（ｋ、２）と受信回路ＲＸ１１１（ｋ、２）とを接続し、入力端子Ｘ１（ｋ、ｎ）と受信回路ＲＸ１１１（ｋ、ｎ）とを接続する。受信回路部ＲＸ１１１（ｋ）と制御回路Ｃ１２０（ｋ）あるいはＣ２２０（ｋ）とを接続する。また、ｋ番目の表示駆動装置Ｄ１０１（ｋ）またＤ２０１（ｋ）は出力部Ｙ１（ｋ）とＹ２（ｋ）に対応する送信回路として送信回路個別構成と送信回路共用構成のどちらか一方の送信回路構成を有する。図１および図２は送信回路個別構成の表示駆動装置Ｄ１０１（ｋ）であり、図３および図４は送信回路共用構成の表示駆動装置Ｄ２０１（ｋ）である。
【００４４】
＜送信回路個別構成＞
送信回路個別構成では、図１または図２に示すように、出力部Ｙ１（ｋ）に対応する送信回路部ＴＸ１１１（ｋ）と、出力部Ｙ２（ｋ）に対応する送信回路部ＴＸ１１２（ｋ）とを備える。送信回路部ＴＸ１１１（ｋ）およびＴＸ１１２（ｋ）をそれぞれ制御回路Ｃ１２０（ｋ）と接続する。送信回路部ＴＸ１１１（ｋ）と出力部Ｙ１（ｋ）とを接続して、出力部Ｙ１（ｋ）の出力端子Ｙ１（ｋ、１）と送信回路ＴＸ１１１（ｋ、１）とを接続し、同様に出力端子Ｙ１（ｋ、２）と送信回路ＴＸ１１１（ｋ、２）とを接続し、出力端子Ｙ１（ｋ、ｎ）と送信回路ＴＸ１１１（ｋ、ｎ）とを接続する。また送信回路部ＴＸ１１２（ｋ）と出力部Ｙ２（ｋ）とを接続して、出力部Ｙ２（ｋ）の出力端子Ｙ２（ｋ、１）と送信回路ＴＸ１１２（ｋ、１）とを接続し、同様に出力端子Ｙ２（ｋ、２）と送信回路ＴＸ１１２（ｋ、２）とを接続し、出力端子Ｙ２（ｋ、ｎ）と送信回路ＴＸ１１２（ｋ、ｎ）とを接続する。
【００４５】
＜送信回路共用構成＞
送信回路個別構成では、図３または図４に示すように、出力部Ｙ１（ｋ）および出力部Ｙ２（ｋ）に共用対応する送信回路部ＴＸ１１１（ｋ）を備える。送信回路部ＴＸ１１１（ｋ）は制御回路Ｃ２２０（ｋ）と接続する。さらに、送信回路部ＴＸ１１１（ｋ）と出力部Ｙ１（ｋ）あるいはＹ２（ｋ）との接続を行うための出力選択切換回路部ＳＷ１４１（ｋ）を備える。出力選択切換回路部ＳＷ１４１（ｋ）は、順方向接続モードと、逆方向接続モードとを有する。順方向接続モードでは、送信回路部ＴＸ１１１（ｋ）と出力部Ｙ１（ｋ）とを対応付け、逆方向接続モードでは、送信回路部ＴＸ１１１（ｋ）と出力部Ｙ２（ｋ）とを対応付ける。送信回路ＴＸ１１１（ｋ、１）は、出力選択切換回路ＳＷ１４１（ｋ、１）と接続され、出力選択切換回路ＳＷ１４１（ｋ、１）は、出力端子Ｙ１（ｋ、１）およびＹ２（ｋ、１）と接続される。同様に送信回路ＴＸ１１１（ｋ、２）は、出力選択切換回路ＳＷ１４１（ｋ、２）と接続され、出力選択切換回路ＳＷ１４１（ｋ、２）は、出力端子Ｙ１（ｋ、２）およびＹ２（ｋ、２）と接続され、また送信回路ＴＸ１１１（ｋ、ｎ）は、出力選択切換回路ＳＷ１４１（ｋ、ｎ）と接続され、出力選択切換回路ＳＷ１４１（ｋ、ｎ）は、出力端子Ｙ１（ｋ、ｎ）およびＹ２（ｋ、ｎ）と接続される。
【００４６】
入力部Ｘ１（ｋ）のｎ個の出力端子Ｘ１（ｋ、１）〜Ｘ１（ｋ、ｎ）のそれぞれには、ｎ個の転送信号Ｎ１〜Ｎｎが入力される。このｋ番目の表示駆動装置Ｄ１０１（ｋ）は、（ｋ＋１）番目の表示駆動装置Ｄ１０１（ｋ＋１）に対して、ｎ個の転送信号Ｎ１〜Ｎｎを出力部Ｙ１（ｋ）やＹ２（ｋ）から出力する。
【００４７】
（ｋ＋１）番目の表示駆動装置Ｄ１０１（ｋ＋１）またＤ２０１（ｋ＋１）における、入力部Ｘ１（ｋ＋１）はｋ番目の表示駆動装置Ｄ１０１（ｋ）またＤ２０１（ｋ）の入力部Ｘ１（ｋ）に相当する。同様に、（ｋ＋１）番目の表示駆動装置Ｄ１０１（ｋ＋１）またＤ２０１（ｋ＋１）における、出力部Ｙ１（ｋ＋１）およびＹ２（ｋ＋１）と、受信回路部ＲＸ１１１（ｋ＋１）と、送信回路部ＴＸ１１１（ｋ＋１）またはＴＸ１１２（ｋ＋１）と、制御回路Ｃ１２０（ｋ＋１）またＣ２２０（ｋ＋１）と、電源部Ｐ１３１（ｋ＋１）およびＰ１３２（ｋ＋１）は、それぞれｋ番目の表示駆動装置Ｄ１０１（ｋ）またＤ２０１（ｋ）の出力部Ｙ１（ｋ）およびＹ２（ｋ）と、受信回路部ＲＸ１１１（ｋ）と、送信回路部ＴＸ１１１（ｋ）またはＴＸ１１２（ｋ）と、制御回路Ｃ１２０（ｋ）またＣ２２０（ｋ）と、電源部Ｐ１３１（ｋ）およびＰ１３２（ｋ）に相当する。また、（ｋ＋１）番目の表示駆動装置Ｄ２０１（ｋ＋１）における出力選択制御回路部ＳＷ１４１（ｋ＋１）は、ｋ番目の表示駆動装置Ｄ２０１（ｋ）における出力選択制御回路部ＳＷ１４１（ｋ）に相当する。
【００４８】
＜受信回路＞
次に、受信回路部ＲＸ１１１（ｋ）について詳細に説明する。
【００４９】
受信回路部ＲＸ１１１（ｋ）は、入力部Ｘ１（ｋ）の入力端子Ｘ１（ｋ、１）〜Ｘ１（ｋ、ｎ）に入力された転送信号Ｎ１〜Ｎｎを入力端子Ｘ１（ｋ、１）〜Ｘ１（ｋ、ｎ）に対応した受信回路部ＲＸ１１１（ｋ）の受信回路ＲＸ１１１（ｋ、１）〜ＲＸ１１１（ｋ、ｎ）でそれぞれ受信する。転送信号Ｎ１〜Ｎｎは、受信回路ＲＸ１１１（ｋ、１）〜ＲＸ１１１（ｋ、ｎ）で受信され、制御回路Ｃ１２０（ｋ）あるいはＣ２２０（ｋ）にそれぞれ送られる。
【００５０】
受信回路ＲＸ１１１（ｋ、１）〜ＲＸ１１１（ｋ、ｎ）は、制御信号により受信動作と受信停止の機能を備える。
【００５１】
図３８と図３９と図４０に受信回路の構成例を示す。図３８は差動信号Ｖｉｎ＋およびＶｉｎ−の入力信号に対して、シングルエンド信号Ｖｏｕｔを制御回路に送るコンパレータ型の受信回路である。図３９および図４０はシングルエンド信号Ｖｉｎの入力信号に対して、シングルエンド信号Ｖｏｕｔを制御回路に送るバッファ型の受信回路である。それぞれの受信回路はイネーブル信号により受信動作あるいは受信停止の制御機能を備え、受信回路の出力はハイインピーダンスもしくは固定信号となる。
【００５２】
図１または図２および図３または図４に示すように受信回路部は表示駆動装置の外形周囲辺の長辺側の中間に配置されて、また入力部の近傍に配置することが望ましい。
【００５３】
＜制御回路＞
次に、制御回路Ｃ１２０（ｋ）またＣ２２０（ｋ）について詳細に説明する。
【００５４】
制御回路Ｃ１２０（ｋ）またＣ２２０（ｋ）には、受信回路部ＲＸ１１１（ｋ）で受信する転送信号Ｎ１〜Ｎｎが入力される。
【００５５】
また外部に転送信号Ｎ１〜Ｎｎを出力するために制御回路Ｃ１２０（ｋ）では送信回路部ＴＸ１１１（ｋ）やＴＸ１１２（ｋ）に送られる。送信回路部ＴＸ１１１（ｋ）あるいはＴＸ１１２（ｋ）のいずれか一方の送信回路部に制御回路から送る場合は、図２３に示すように制御回路Ｃ１２０（ｋ）の内部に出力選択切換回路を備える。図２５と図２６と図２７に出力選択切換回路の構成例を示す。制御回路から送る転送信号Ｎ１〜Ｎｎは出力選択切換信号の制御信号によって送信回路ＴＸ１１１（ｋ）もしくはＴＸ１１２（ｋ）のどちらか一方の送信回路に送られる。このとき、順方向接続モードと逆方向接続モードで
あり、順方向接続モードでは制御回路Ｃ１２０（ｋ）から送信回路部ＴＸ１１１（ｋ）と対応付け、逆方向接続モードでは制御回路Ｃ１２０（ｋ）から送信回路部ＴＸ１１２（ｋ）と対応付ける。
【００５６】
また制御回路Ｃ２２０（ｋ）では送信回路部ＴＸ１１１（ｋ）に転送信号Ｎ１〜Ｎｎを送る。
【００５７】
＜送信回路＞
次に、送信回路部ＴＸ１１１（ｋ）またＴＸ１１２（ｋ）について詳細に説明する。送信回路は、送信回路個別構成あるいは送信回路共用構成のどちらか一方で構成される。
【００５８】
＜送信回路個別構成＞
送信回路個別構成では、出力部Ｙ１（ｋ）に対応して送信回路部ＴＸ１１１（ｋ）を備え、Ｙ２（ｋ）に対応して送信回路部ＴＸ１１２（ｋ）を備える。制御回路Ｃ１２０（ｋ）からの送られたｎ個の転送信号Ｎ１〜Ｎｎを送信回路部ＴＸ１１１（ｋ）またはＴＸ１１２（ｋ）に入力する。送信回路部ＴＸ１１１（ｋ）では、送信回路ＴＸ１１１（ｋ、１）〜ＴＸ１１１（ｋ、ｎ）から出力部Ｙ１（ｋ）の出力端子Ｙ１（ｋ、１）〜Ｙ１（ｋ、ｎ）に対して送信する。また送信回路部ＴＸ１１２（ｋ）では、送信回路ＴＸ１１２（ｋ、１）〜ＴＸ１１２（ｋ、ｎ）から出力部Ｙ２（ｋ）の出力端子Ｙ２（ｋ、１）〜Ｙ２（ｋ、ｎ）に対して送信する。
【００５９】
送信回路ＴＸ１１１（ｋ、１）〜ＴＸ１１１（ｋ、ｎ）また送信回路ＴＸ１１２（ｋ、１）〜ＴＸ１１２（ｋ、ｎ）は、制御信号により送信動作と送信停止の機能を備える。
【００６０】
＜送信回路共用構成＞
送信回路共用構成では、出力部Ｙ１（ｋ）とＹ２（ｋ）に共用対応する送信回路部ＴＸ１１１（ｋ）を備える。制御回路Ｃ２２０（ｋ）からの送られたｎ個の信号Ｎ１〜Ｎｎを送信回路部ＴＸ１１１（ｋ）に入力する。送信回路部ＴＸ１１１（ｋ）では、送信回路ＴＸ１１１（ｋ、１）〜ＴＸ１１１（ｋ、ｎ）から出力選択切換回路ＳＷ１４１（ｋ）に送信する。
【００６１】
送信回路ＴＸ１１１（ｋ、１）〜ＴＸ１１１（ｋ、ｎ）は、制御信号により送信動作と送信停止の機能を備える。
【００６２】
図４１と図４２と図４３に送信回路の構成例を示す。図４１はシングルエンド信号Ｖｉｎ＋およびその逆相信号Ｖｉｎ−の入力信号に対して、差動信号Ｖｏｕｔ＋およびＶｏｕｔ−の差動信号を出力する送信回路である。図４２および図４３はシングルエンド信号Ｖｉｎの入力信号に対して、シングルエンド信号Ｖｏｕｔを出力する送信回路である。それぞれの送信回路はイネーブル信号により送信動作あるいは送信停止の制御機能を備え、送信回路の出力はハイインピーダンスもしくは固定信号となる。
【００６３】
図１または図２および図３または図４に示すように、図１または図２の送信回路個別構成では送信回路は出力部の近傍で受信回路部および制御回路に対して対称になるように配置され、また図３または図４の送信回路共用構成では送信回路部および出力選択切換回路は受信回路部と同様に表示駆動装置の外形周囲辺の長辺側の中間で、２つの出力部の中間に配置することが望ましい。
【００６４】
＜出力選択切換回路＞
次に、出力選択切換回路ＳＷ１４１（ｋ）について詳細に説明する。図２８と図２９と図３０に出力選択切換回路の構成例を示す。出力選択切換回路は制御信号により順方向接
続モードと逆方向接続モードを備える。
【００６５】
＜順方向接続モード＞
図３に示した表示駆動装置Ｄ２０１（ｋ）において、出力選択切換回路ＳＷ１４１（ｋ）が、順方向接続モードであるとき、送信回路部ＴＸ１１１（ｋ）は、出力部Ｙ１（ｋ）と対応付け、送信回路ＴＸ１１１（ｋ、１）〜ＴＸ１１１（ｋ、ｎ）はそれぞれ出力端子Ｙ１（ｋ、１）〜Ｙ１（ｋ、ｎ）と対応付けて接続される。
【００６６】
＜逆方向接続モード＞
図４に示した表示駆動装置Ｄ２０１（ｋ）において、出力選択切換回路ＳＷ１４１（ｋ）が、逆方向接続モードであるとき、送信回路部ＴＸ１１１（ｋ）は、出力部Ｙ２（ｋ）と対応付け、送信回路ＴＸ１１１（ｋ、１）〜ＴＸ１１１（ｋ、ｎ）はそれぞれ出力端子Ｙ２（ｋ、１）〜Ｙ２（ｋ、ｎ）と対応付けて接続される。
【００６７】
＜端子配置＞
次に、入力部Ｘ１（ｋ）、出力部Ｙ１（ｋ）およびＹ２（ｋ）、電源部Ｐ１３１（ｋ）およびＰ１３２（ｋ）の端子配置について詳細に説明する。
【００６８】
入力部Ｘ１（ｋ）と出力部Ｙ１（ｋ）およびＹ２（ｋ）は、ｋ番目の表示駆動装置Ｄ１０１（ｋ）またＤ２０１（ｋ）の外形周囲辺において、入力部Ｘ１（ｋ）が出力部Ｙ１（ｋ）とＹ２（ｋ）の外形周囲辺の間の位置に配置されるように出力部Ｙ１（ｋ）およびＹ２（ｋ）を配置する。このとき、出力部Ｙ１（ｋ）、入力部Ｘ１（ｋ）、出力部Ｙ２（ｋ）の並びになる。
【００６９】
また、それぞれｎ個の入力部Ｘ１（ｋ）の入力端子Ｘ１（ｋ、１）〜Ｘ１（ｋ、ｎ）と出力部Ｙ１（ｋ）の出力端子Ｙ１（ｋ、１）〜Ｙ１（ｋ、ｎ）および出力部Ｙ２（ｋ）の出力端子Ｙ２（ｋ、１）〜Ｙ２（ｋ、ｎ）において、入力端子Ｘ１（ｋ、１）〜Ｘ１（ｋ、ｎ）をｋ番目の表示駆動装置Ｄ１０１（ｋ）またＤ２０１（ｋ）の外形周囲辺で、入力端子Ｘ１（ｋ、１）、Ｘ１（ｋ、２）、・・・、Ｘ１（ｋ、ｎ）の順番に配置するとして、その際の出力端子Ｙ１（ｋ、１）〜Ｙ１（ｋ、ｎ）を入力端子Ｘ１（ｋ、１）の近い側から外形周囲辺に沿って出力端子Ｙ１（ｋ、１）、Ｙ１（ｋ、２）、・・・、Ｙ１（ｋ、ｎ）の順番に配置し、出力端子Ｙ２（ｋ、１）〜Ｙ２（ｋ、ｎ）を入力端子Ｘ１（ｋ、ｎ）の近い側から外形周囲辺に沿って出力端子Ｙ２（ｋ、ｎ）、Ｙ２（ｋ、ｎ−１）、・・・、Ｙ２（ｋ、１）の順番に配置する。
【００７０】
また、ｋ番目の表示駆動装置Ｄ１０１（ｋ）またＤ２０１（ｋ）は電源部Ｐ１３１（ｋ）とＰ１３２（ｋ）を備え、電源部Ｐ１３１（ｋ）は表示駆動装置の外形周囲辺において、入力部Ｘ１（ｋ）と出力部Ｙ１（ｋ）の間に配置して、電源部Ｐ１３２（ｋ）は入力部Ｘ１（ｋ）と出力部Ｙ２（ｋ）の間に配置される。
【００７１】
電源部Ｐ１３１（ｋ）およびＰ１３２（ｋ）は表示駆動装置の内部で互いに繋がっている。
【００７２】
＜カスケード接続＞
次に、複数の表示駆動装置を備えて、それらを互いにカスケード接続して表示信号を順次転送する表示信号転送装置について詳細に説明する。１番目の表示駆動装置から信号転送を行う表示信号転送装置の接続を順方向接続モードとし、Ｍ番目の表示駆動装置から信号転送を行う表示信号転送装置の接続を逆方向接続モードとして、本実施形態では、１つの入力部と２つの出力部による２つの接続手段による順方向接続モードと逆方向接続モードを有する。
【００７３】
＜順方向接続モード＞
順方向接続モードは、図１および図３および図５に示すように、前段の（ｋ−１）番目の表示駆動装置から送られる転送信号Ｎ１〜Ｎｎをｋ番目の表示駆動装置Ｄ１０１（ｋ）またＤ２０１（ｋ）の入力部Ｘ１（ｋ）の入力端子Ｘ１（ｋ、１）〜Ｘ１（ｋ、ｎ）に入力するように接続する。そして出力部Ｙ１（ｋ）の出力端子Ｙ１（ｋ、１）〜Ｙ１（ｋ、ｎ）と（ｋ＋１）番目の表示駆動装置Ｄ１０１（ｋ＋１）またＤ２０１（ｋ＋１）の入力部Ｘ１（ｋ＋１）の入力端子Ｘ１（ｋ＋１、１）〜Ｘ１（ｋ＋１、ｎ）とをそれぞれ接続する。（ｋ＋２）番目の表示駆動装置においても、同様に入力部Ｘ１（ｋ＋２）と出力部Ｙ１（ｋ＋２）で順次カスケード接続して、以降の表示信号転送装置を構成する。
【００７４】
また、図５に示すように、順方向接続モードで複数の表示駆動装置をカスケード接続する表示信号転送装置において、電源部Ｐ１３１（ｋ）とＰ１３２（ｋ）のうち、電源部Ｐ１３１（ｋ）に電気供給を行うための配線接続し、電源部Ｐ１３２（ｋ）には電気供給のための配線接続を行わない。
【００７５】
＜逆方向接続モード＞
逆方向接続モードは、図２および図４および図６に示すように、前段の（ｋ＋２）番目の表示駆動装置の出力部から送られる転送信号Ｎ１〜Ｎｎを（ｋ＋１）番目の表示駆動装置Ｄ１０１（ｋ＋１）またＤ２０１（ｋ＋１）の入力部Ｘ１（ｋ＋１）の入力端子Ｘ１（ｋ＋１、１）〜Ｘ１（ｋ＋１、ｎ）に入力するように接続する。そして出力部Ｙ２（ｋ＋１）の出力端子Ｙ２（ｋ＋１、１）〜Ｙ２（ｋ＋１、ｎ）とｋ番目の表示駆動装置Ｄ１０１（ｋ）またＤ２０１（ｋ）の入力部Ｘ１（ｋ）の入力端子Ｘ１（ｋ、１）〜Ｘ１（ｋ、ｎ）とをそれぞれ接続する。（ｋ−１）番目の表示駆動装置においても、同様に入力部Ｘ１（ｋ−１）と出力部Ｙ２（ｋ−１）で順次カスケード接続して、以降の表示信号転送装置を構成する。
【００７６】
また、図６に示すように、逆方向接続モードで複数の表示駆動装置をカスケード接続する表示信号転送装置において、電源部Ｐ１３１（ｋ）とＰ１３２（ｋ）のうち、電源部Ｐ１３２（ｋ）に電気供給を行うための配線接続し、電源部Ｐ１３１（ｋ）には電気供給のための配線接続を行わない。
【００７７】
＜動作＞
次に、図１〜図６に示した表示駆動装置と表示信号転送装置による動作について説明する。ここでは、表示信号転送装置の初段の表示駆動装置には、例えば表示装置の制御ＬＳＩから出力されたクロックや表示データや制御信号の転送信号Ｎ１〜Ｎｎが入力され、順次転送する動作について説明する。
【００７８】
＜送信回路個別構成＞
次に表示駆動装置が送信回路個別構成で、順方向接続モードおよび逆方向接続モードについて詳細に説明する。
【００７９】
＜順方向接続モード＞
順方向接続モードになると、１番目の初段の表示駆動装置からＭ番目の最終段の表示駆動装置までの方向で信号転送する表示信号転送装置において、図１に示すように、ｋ番目の表示駆動装置Ｄ１０１（ｋ）の入力部Ｘ１（ｋ）の入力端子Ｘ１（ｋ、１）〜Ｘ１（ｋ、ｎ）に前段の（ｋ−１）番目の表示駆動装置の出力部から送られる転送信号Ｎ１〜Ｎｎをそれぞれ入力し、受信回路部ＲＸ１１１（ｋ）の受信回路ＲＸ１１１（ｋ、１）〜ＲＸ１１１（ｋ、ｎ）で受信する。
【００８０】
そして受信した転送信号Ｎ１〜Ｎｎを制御回路Ｃ１２０（ｋ）に送り、制御回路Ｃ１２０（ｋ）によってクロックによる表示データのラッチ処理や制御信号の制御処理などが行われる。また（ｋ＋１）番目の表示駆動装置Ｄ１０１（ｋ＋１）に対して転送するために、制御回路Ｃ１２０（ｋ）より送信回路部ＴＸ１１１（ｋ）の送信回路ＴＸ１１１（ｋ、１）〜ＴＸ１１１（ｋ、ｎ）に転送信号Ｎ１〜Ｎｎをそれぞれ送る。このとき、出力選択切換回路を制御回路Ｃ１２０（ｋ）に備える場合には、転送信号Ｎ１〜Ｎｎを送信回路部ＴＸ１１１（ｋ）に対応付けて送る。転送信号Ｎ１〜Ｎｎは出力部Ｙ１（ｋ）の出力端子Ｙ１（ｋ、１）〜Ｙ１（ｋ、ｎ）から表示駆動装置Ｄ１０１（ｋ）の外部に出力される。
【００８１】
表示駆動装置Ｄ１０１（ｋ）の出力部Ｙ１（ｋ）の出力端子Ｙ１（ｋ、１）〜Ｙ１（ｋ、ｎ）から出力される転送信号Ｎ１〜Ｎｎは（ｋ＋１）番目の表示駆動装置Ｄ１０１（ｋ＋１）の入力部Ｘ１（ｋ＋１）の入力端子Ｘ１（ｋ＋１、１）〜Ｘ１（ｋ＋１、ｎ）に入力される。入力されたＮ１〜Ｎｎは、それぞれ表示駆動装置Ｄ１０１（ｋ＋１）の受信回路部ＲＸ１１１（ｋ＋１）の受信回路ＲＸ１１１（ｋ＋１、１）〜ＲＸ１１１（ｋ＋１、ｎ）で受信される。
【００８２】
以降の表示駆動装置の間では、順次前記と同様に信号転送される。
【００８３】
また、ｋ番目の表示駆動装置Ｄ１０１（ｋ）において処理される信号がラッチ処理される期間では、（ｋ＋１）番目以降の表示駆動装置に信号転送を行わないように、表示駆動装置Ｄ１０１（ｋ）の送信回路部ＴＸ１１１（ｋ）の送信動作を停止して、また（ｋ＋１）番目の表示駆動装置Ｄ１０１（ｋ＋１）の受信回路部ＲＸ１１１（ｋ＋１）の受信動作を停止する。そして、ｋ番目の表示駆動装置Ｄ１０１（ｋ）で処理される信号のラッチ処理が完了する手前の期間で、送信回路部ＴＸ１１１（ｋ）の送信動作を起動し、（ｋ＋１）番目の表示駆動装置Ｄ１０１（ｋ＋１）のラッチ処理が開始する手前で、（ｋ＋１）番目の表示駆動装置Ｄ１０１（ｋ＋１）の受信回路部ＲＸ１１１（ｋ＋１）の受信動作を起動させる。また前記の逆方向のラッチ処理では、（ｋ＋１）番目の表示駆動装置Ｄ１０１（ｋ＋１）において処理される信号がラッチ処理される期間では、（ｋ＋１）番目以前の表示駆動装置で信号転送を行うように、表示駆動装置Ｄ１０１（ｋ）の送信回路部ＴＸ１１１（ｋ）の送信動作を動作して、また（ｋ＋１）番目の表示駆動装置Ｄ１０１（ｋ＋１）の受信回路部ＲＸ１１１（ｋ＋１）の受信動作を動作させる。そして、（ｋ＋１）番目の表示駆動装置Ｄ１０１（ｋ＋１）で処理される信号のラッチ処理が完了する後の期間で、受信回路部ＲＸ１１１（ｋ＋１）の受信動作を停止して、それに連動して、ｋ番目の表示駆動装置Ｄ１０１（ｋ）の送信回路部ＴＸ１１１（ｋ）の送信動作を停止させる。
【００８４】
このときさらに、送信回路部ＴＸ１１２（ｋ）の送信回路ＴＸ１１２（ｋ、１）〜ＴＸ１１２（ｋ、ｎ）は送信動作を常時停止する。
【００８５】
さらに、表示駆動装置に共通のクロック信号や制御信号に関する少なくとも１つの経路の受信回路や送信回路を常時動作させ、その信号以外の転送にかかわる受信回路や送信回路の動作機能を制御信号により全て停止させる。
【００８６】
さらに、最終段のＭ番目の表示駆動装置で、送信回路ＴＸ１１１（Ｍ）の送信動作を常時停止する。
【００８７】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号によってＶｏｕｔを固定信号の出力とする。
【００８８】
＜逆方向接続モード＞
逆方向接続モードになると、前記順方向接続モードとは逆方向の信号転送を行い、Ｍ番目の表示駆動装置を表示信号転送装置の初段から１番目の表示駆動装置を表示信号転送装置の最終段までの方向で信号転送する表示信号転送装置において、図２に示すように、（ｋ＋２）番目の表示駆動装置から送られる転送信号Ｎ１〜Ｎｎを（ｋ＋１）番目の表示駆動装置Ｄ１０１（ｋ＋１）の入力部Ｘ１（ｋ＋１）の入力端子Ｘ１（ｋ＋１、１）〜Ｘ１（ｋ＋１、ｎ）にそれぞれ入力し、受信回路部ＲＸ１１１（ｋ＋１）の受信回路ＲＸ１１１（ｋ＋１、１）〜ＲＸ１１１（ｋ＋１、ｎ）で受信する。
【００８９】
そして受信した転送信号Ｎ１〜Ｎｎを制御回路Ｃ１２０（ｋ＋１）に送り、その表示駆動装置Ｄ１０１（ｋ＋１）によってクロックによる表示データのラッチ処理や制御信号の制御処理などが行われる。またｋ番目の表示駆動装置Ｄ１０１（ｋ）に対して転送するために、制御回路Ｃ１２０（ｋ＋１）より送信回路部ＴＸ１１２（ｋ＋１）の送信回路ＴＸ１１２（ｋ＋１、１）〜ＴＸ１１２（ｋ＋１、ｎ）に転送信号Ｎ１〜Ｎｎをそれぞれ送る。このとき、出力選択切換回路を制御回路Ｃ１２０（ｋ）に備える場合には、転送信号Ｎ１〜Ｎｎを送信回路部ＴＸ１１２（ｋ）に対応付けて送る。転送信号Ｎ１〜Ｎｎは出力部Ｙ２（ｋ＋１）の出力端子Ｙ２（ｋ＋１、１）〜Ｙ２（ｋ＋１、ｎ）から表示駆動装置Ｄ１０１（ｋ＋１）の外部に出力される。
【００９０】
表示駆動装置Ｄ１０１（ｋ＋１）の出力部Ｙ２（ｋ＋１）の出力端子Ｙ２（ｋ＋１、１）〜Ｙ２（ｋ＋１、ｎ）から出力される転送信号Ｎ１〜Ｎｎはｋ番目の表示駆動装置Ｄ１０１（ｋ）の入力部Ｘ１（ｋ）の入力端子Ｘ１（ｋ、１）〜Ｘ１（ｋ、ｎ）に入力される。入力されたＮ１〜Ｎｎは、それぞれ表示駆動装置Ｄ１０１（ｋ）の受信回路部ＲＸ１１１（ｋ）の受信回路ＲＸ１１１（ｋ、１）〜ＲＸ１１１（ｋ、ｎ）で受信される。
【００９１】
以降の表示駆動装置の間では、順次前記と同様に信号転送される。
【００９２】
また、（ｋ＋１）番目の表示駆動装置Ｄ１０１（ｋ＋１）において処理される信号がラッチ処理される期間では、ｋ番目以降の表示駆動装置に信号転送を行わないように、表示駆動装置Ｄ１０１（ｋ＋１）の送信回路部ＴＸ１１２（ｋ＋１）の送信動作を停止して、またｋ番目の表示駆動装置Ｄ１０１（ｋ）の受信回路部ＲＸ１１１（ｋ）の受信動作を停止する。このとき停止する送信回路や受信回路の出力はハイインピーダンスもしくは固定信号とする。そして、（ｋ＋１）番目の表示駆動装置Ｄ１０１（ｋ＋１）で処理される信号のラッチ処理が完了する手前の期間で、送信回路部ＴＸ１１２（ｋ＋１）の送信動作を起動し、ｋ番目の表示駆動装置Ｄ１０１（ｋ）のラッチ処理が開始する手前で、ｋ番目の表示駆動装置Ｄ１０１（ｋ）の受信回路部ＲＸ１１１（ｋ）の受信動作を起動させる。また前記の逆方向のラッチ処理では、ｋ番目の表示駆動装置Ｄ１０１（ｋ）において処理される信号がラッチ処理される期間では、ｋ番目以前の表示駆動装置で転送信号を行うように、表示駆動装置Ｄ１０１（ｋ＋１）の送信回路部ＴＸ１１２（ｋ＋１）の送信動作を動作して、またｋ番目の表示駆動装置Ｄ１０１（ｋ）の受信回路部ＲＸ１１１（ｋ）の受信動作を動作させる。そして、ｋ番目の表示駆動装置Ｄ１０１（ｋ）で処理される信号のラッチ処理が完了する後の期間で、受信回路部ＲＸ１１１（ｋ）の受信動作を停止して、それに連動して、（ｋ＋１）番目の表示駆動装置Ｄ１０１（ｋ＋１）の送信回路部ＴＸ１１２（ｋ＋１）の送信動作を停止させる。
【００９３】
このときさらに、送信回路部ＴＸ１１１（ｋ）の送信回路ＴＸ１１１（ｋ、１）〜ＴＸ１１１（ｋ、ｎ）は送信動作を常時停止する。
【００９４】
さらに、表示駆動装置に共通のクロック信号や制御信号に関する少なくとも１つの経路の受信回路や送信回路を常時動作させ、その信号以外の転送にかかわる受信回路や送信回
路の動作機能を制御信号により全て停止させる。
【００９５】
さらに、最終段の１番目の表示駆動装置で、送信回路ＴＸ１１２（１）の送信動作を常時停止する。
【００９６】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号によってＶｏｕｔを固定信号の出力とする。
【００９７】
＜送信回路共用構成＞
次に表示駆動装置が送信回路共用構成で、順方向接続モードおよび逆方向接続モードについて詳細に説明し、送信回路個別構成と異なる部分を説明する。
【００９８】
＜順方向接続モード＞
図３に示すように、制御回路Ｃ２２０（ｋ）より送信回路部ＴＸ１１１（ｋ）の送信回路ＴＸ１１１（ｋ、１）〜ＴＸ１１１（ｋ、ｎ）に転送信号Ｎ１〜Ｎｎをそれぞれ送る。転送信号Ｎ１〜Ｎｎはｋ番目の表示駆動装置Ｄ２０１（ｋ）の出力部Ｙ１（ｋ）の出力端子Ｙ１（ｋ、１）〜Ｙ１（ｋ、ｎ）から（ｋ＋１）番目の表示駆動装置Ｄ２０１（ｋ＋１）に出力されるように、出力選択切換回路部ＳＷ１４１（ｋ）の出力選択切換回路ＳＷ１４１（ｋ、１）〜ＳＷ１４１（ｋ、ｎ）によって、送信回路部ＴＸ１１１（ｋ）の送信回路ＴＸ１１１（ｋ、１）〜ＴＸ１１１（ｋ、ｎ）と出力部Ｙ１（ｋ）の出力端子Ｙ１（ｋ、１）〜Ｙ１（ｋ、ｎ）と対応付ける。
【００９９】
以降の表示駆動装置の間では、順次前記と同様に信号転送される。
【０１００】
信号転送に使用しない出力部Ｙ２（ｋ）では、ハイインピーダンスもしくは固定信号として、信号転送の停止期間では、例えば、図２８および図２９では出力選択切換信号によって出力端子に繋がる出力選択切換回路の一方をハイインピーダンスの出力としたり、図３０では制御信号によって固定信号の出力とする。
【０１０１】
＜逆方向接続モード＞
図４に示すように、制御回路Ｃ２２０（ｋ＋１）より送信回路部ＴＸ１１１（ｋ＋１）の送信回路ＴＸ１１１（ｋ＋１、１）〜ＴＸ１１１（ｋ＋１、ｎ）に転送信号Ｎ１〜Ｎｎをそれぞれ送る。転送信号Ｎ１〜Ｎｎは（ｋ＋１）番目の表示駆動装置Ｄ２０１（ｋ＋１）の出力部Ｙ２（ｋ＋１）の出力端子Ｙ２（ｋ＋１、１）〜Ｙ２（ｋ＋１、ｎ）からｋ番目の表示駆動装置Ｄ１０１（ｋ）に出力されるように、出力選択切換回路部ＳＷ１４１（ｋ＋１）の出力選択切換回路ＳＷ１４１（ｋ＋１、１）〜ＳＷ１４１（ｋ＋１、ｎ）によって、送信回路部ＴＸ１１１（ｋ＋１）の送信回路ＴＸ１１１（ｋ＋１、１）〜ＴＸ１１１（ｋ＋１、ｎ）と出力部Ｙ２（ｋ＋１）の出力端子Ｙ２（ｋ＋１、１）〜Ｙ１（ｋ＋１、ｎ）と対応付ける。
【０１０２】
以降の表示駆動装置の間では、順次前記と同様に信号転送される。
【０１０３】
信号転送に使用しない出力部Ｙ１（ｋ）では、ハイインピーダンスもしくは固定信号として、信号転送の停止期間では、例えば、図２８および図２９では出力選択切換信号によって出力端子に繋がる出力選択切換回路の一方をハイインピーダンスの出力としたり、図３０では制御信号によって固定信号の出力とする。
【０１０４】
前記第１の実施形態では、１つの入力部と２つの出力部の表示駆動装置で、それに対応
する１つの受信回路部、および２つの送信回路部あるいは１つの送信回路部と出力選択切換回路を備えているが、図７〜図１２に示すように、入力と出力を逆にした実施形態例として、２つの入力部と１つの出力部の表示駆動装置で、それに対応する２つの受信回路部あるいは１つの受信回路部と入力選択切換回路、および１つの送信回路部を備える場合の構成例を示す。図３３と図３４および図３５と図３６に入力選択切換回路の構成例を示す。
【０１０５】
図７は２つの入力部に対応して２つの受信回路部を備える表示駆動装置であり、第１の入力部と第１の出力部とを順次接続して信号転送する、順方向接続モードの表示信号転送装置である。制御回路Ｃ３２０（ｋ）では前記制御回路と同様にクロックによる表示データのラッチ処理や制御信号の制御処理などが行われ、２つの受信回路と１つの送信回路とを対応付けるための入力選択切換回路を備える。図８は図７の逆方向接続モードであり、第２の入力部と第１の出力部とを順次接続して、信号転送する表示信号転送装置である。
【０１０６】
図９は２つの入力部に対応して１つの受信回路部を備え、２つの入力部と制御回路とを対応付ける入力選択切換回路を備える表示駆動装置であり、第１の入力部と第１の出力部とを順次接続して信号転送する、順方向接続モードの表示信号転送装置である。図１０は図９の逆方向接続モードであり、第２の入力部と第１の出力部とを順次接続して、信号転送する表示信号転送装置である。
【０１０７】
図１１と図１２はそれぞれ順方向接続モードと逆方向接続モードでの電源接続の構成例である。
【０１０８】
図３３または図３４は制御回路Ｃ３２０（ｋ）に備える入力選択切換回路の構成例であり、入力選択切換信号により２つの受信回路のいずれか一方と受信回路の信号を転送信号として対応付ける。図３５または図３６は図９または図１０に示す入力選択切換回路ＳＷ２４１（ｋ）の構成例であり、２つの入力部のいずれか一方と受信回路とを対応付ける。
【０１０９】
＜効果＞
以上のように、本実施形態による表示駆動装置および表示信号転送装置では、１つの入力部と２つの出力部を備えることによって、複数の表示駆動装置の接続を転送方向に応じて変更することで、従来と同等に双方向のカスケード接続の信号転送を行うことができる一方で受信回路部を共用にすることで、従来よりも受信回路部面積を半分に削減することができ、さらには送信回路部を共用にすることで従来よりも受信回路部および送信回路の総面積を半分に削減することができ、これにより従来よりも低コスト化、かつ低消費電力化を図ることができる。かつ、表示信号転送装置の最終段の送信回路を常時停止し、また次段以降の表示駆動装置に関与する信号を動作停止する機能を備えた送信回路で送信したり、該当表示駆動装置に関与する信号を動作停止する機能を備えた受信回路で受信したり、また制御信号により表示駆動装置を構成する全ての回路を停止する機能で制御したり、また常時それぞれの表示駆動装置の共通のクロック信号などを初段から最終段まで転送する機能を有することで、より効果的に表示信号転送装置を制御でき、低消費電力化を図ることができる。また入力部および出力部と電源部を前記配置にすることによって、複数の表示駆動装置をカスケード接続する転送信号配線は互いに交差せず、電源部に対する電源供給配線もまた転送信号配線に交差させることなくそれぞれ接続することができる。これにより、複数の転送信号や電源供給配線を多層にすることなく単層で形成することができるため、前記端子配置を備えた表示駆動装置で構成する表示信号転送装置もまた低コスト化を図ることができる。
【０１１０】
（第２の実施形態）
＜構成＞
この発明の第２の実施形態による表示信号転送装置とｋ番目および（ｋ＋１）番目の表示駆動装置の構成を図４６に示す。この実施形態による表示信号転送装置は、Ｍ個の表示駆動装置を備える。ｋ番目の表示駆動装置Ｄ７０１（ｋ）は、入出力部Ｚ１（ｋ）およびＺ２（ｋ）と、入出力部Ｚ１（ｋ）およびＺ２（ｋ）に対応する受信回路部ＲＸ１１１（ｋ）と、入出力部Ｚ１（ｋ）に対応する送信回路部ＴＸ１１１（ｋ）と、入出力部Ｚ２（ｋ）に対応する送信回路部ＴＸ１１２（ｋ）と、制御回路Ｃ４２０（ｋ）とを備える。入出力部Ｚ１（ｋ）およびＺ２（ｋ）はそれぞれｎ個の入出力端子Ｚ１（ｋ、１）〜Ｚ１（ｋ、ｎ）およびＺ２（ｋ、１）〜Ｚ２（ｋ、ｎ）を備える。受信回路部ＲＸ１１１（ｋ）はｎ個の受信回路ＲＸ１１１（ｋ、１）〜ＲＸ１１１（ｋ、ｎ）を備え、送信回路部ＴＸ１１１（ｋ）はｎ個の送信回路ＴＸ１１１（ｋ、１）〜ＴＸ１１１（ｋ、ｎ）を備え、送信回路部ＴＸ１１２（ｋ）はｎ個の送信回路ＴＸ１１２（ｋ、１）〜ＴＸ１１２（ｋ、ｎ）を備える。また、表示駆動装置を構成する受信回路や送信回路や制御回路に電源や固定制御信号の電気供給を行うために、電源部Ｐ３３１（ｋ）を備える。ｋ番目の表示駆動装置Ｄ７０１（ｋ）の外形周囲辺において、外形周囲辺の一端側に入出力部Ｚ１（ｋ）とＺ２（ｋ）を配置して、電源部Ｐ３３１（ｋ）を入出力部Ｚ１（ｋ）とＺ２（ｋ）の間に配置する。
【０１１１】
受信回路部ＲＸ１１１（ｋ）と送信回路部ＴＸ１１１（ｋ）およびＴＸ１１２（ｋ）は、それぞれ制御回路Ｃ４２０（ｋ）と接続する。
【０１１２】
受信回路部ＲＸ１１１（ｋ）と入出力部Ｚ１（ｋ）あるいはＺ２（ｋ）とを対応付ける受信選択切換回路部ＳＷＲ１４１（ｋ）を備え、入出力部Ｚ１（ｋ）と送信回路部ＴＸ１１１（ｋ）とを対応付ける送信選択切換回路部ＳＷＴ２４１（ｋ）を備え、また入出力部Ｚ２（ｋ）と送信回路部ＴＸ１１２（ｋ）とを対応付ける送信選択切換回路部ＳＷＴ２４２（ｋ）を備える。
【０１１３】
受信回路ＲＸ１１１（ｋ、１）は受信選択切換回路ＳＷＲ１４１（ｋ、１）と接続され、受信選択切換回路ＳＷＲ１４１（ｋ、１）は入出力端子Ｚ１（ｋ、１）およびＺ２（ｋ、１）と接続される。同様に受信回路ＲＸ１１１（ｋ、２）は受信選択切換回路ＳＷＲ１４１（ｋ、２）と接続され、受信選択切換回路ＳＷＲ１４１（ｋ、２）は入出力端子Ｚ１（ｋ、２）およびＺ２（ｋ、２）と接続され、また受信回路ＲＸ１１１（ｋ、ｎ）は受信選択切換回路ＳＷＲ１４１（ｋ、ｎ）と接続され、受信選択切換回路ＳＷＲ１４１（ｋ、ｎ）は入出力端子Ｚ１（ｋ、ｎ）およびＺ２（ｋ、ｎ）と接続される。また、送信回路ＴＸ１１１（ｋ、１）は送信選択切換回路ＳＷＴ２４１（ｋ、１）と接続され、送信選択切換回路ＳＷＴ２４１（ｋ、１）は入出力端子Ｚ１（ｋ、１）と接続される。同様に送信回路ＴＸ１１１（ｋ、２）は送信選択切換回路ＳＷＴ２４１（ｋ、２）と接続され、送信選択切換回路ＳＷＴ２４１（ｋ、２）は入出力端子Ｚ１（ｋ、２）と接続され、また送信回路ＴＸ１１１（ｋ、ｎ）は送信選択切換回路ＳＷＴ２４１（ｋ、ｎ）と接続され、送信選択切換回路ＳＷＴ２４１（ｋ、ｎ）は入出力端子Ｚ１（ｋ、ｎ）と接続される。また、送信回路ＴＸ１１２（ｋ、１）は送信選択切換回路ＳＷＴ２４２（ｋ、１）と接続され、送信選択切換回路ＳＷＴ２４２（ｋ、１）は入出力端子Ｚ２（ｋ、１）と接続される。同様に送信回路ＴＸ１１２（ｋ、２）は送信選択切換回路ＳＷＴ２４２（ｋ、２）と接続され、送信選択切換回路ＳＷＴ２４２（ｋ、２）は入出力端子Ｚ２（ｋ、２）と接続され、また送信回路ＴＸ１１２（ｋ、ｎ）は送信選択切換回路ＳＷＴ２４２（ｋ、ｎ）と接続され、送信選択切換回路ＳＷＴ２４２（ｋ、ｎ）は入出力端子Ｚ２（ｋ、ｎ）と接続される。
【０１１４】
受信選択切換回路部ＳＷＲ１４１（ｋ）と送信選択切換回路ＳＷＴ２４１（ｋ）およびＳＷＴ２４２（ｋ）は、順方向接続モードと逆方向接続モードとを有する。順方向接続モードでは、受信選択切換回路部ＳＷＲ１４１（ｋ）によって受信回路部ＲＸ１１１（ｋ）と入出力部Ｚ１（ｋ）とを対応付け、逆方向接続モードでは、受信回路部ＲＸ１１１（ｋ
）と入出力部Ｚ２（ｋ）とを対応付ける。また順方向接続モードでは、送信選択切換回路部ＳＷＴ２４２（ｋ）によって送信回路部ＴＸ１１２（ｋ）と入出力部Ｚ２（ｋ）とを対応付け、逆方向接続モードでは、送信選択切換回路部ＳＷＴ２４１（ｋ）によって送信回路部ＴＸ１１１（ｋ）と入出力部Ｚ１（ｋ）とを対応付ける。
【０１１５】
（ｋ＋１）番目の表示駆動装置Ｄ７０１（ｋ＋１）における、入出力部Ｚ１（ｋ＋１）はｋ番目の表示駆動装置Ｄ７０１（ｋ）の入出力部Ｚ１（ｋ）に相当する。同様に、（ｋ＋１）番目の表示駆動装置Ｄ７０１（ｋ＋１）における、入出力部Ｚ２（ｋ＋１）と、受信回路部ＲＸ１１１（ｋ＋１）と、送信回路部ＴＸ１１１（ｋ＋１）またはＴＸ１１２（ｋ＋１）と、制御回路Ｃ４２０（ｋ＋１）と、電源部Ｐ１３１（ｋ＋１）と、受信選択切換回路ＳＷＲ１４１（ｋ＋１）と、送信選択切換回路ＳＷＴ２４１（ｋ＋１）およびＳＷＴ２４２（ｋ＋１）は、それぞれｋ番目の表示駆動装置Ｄ７０１（ｋ）の入出力部Ｚ２（ｋ）と、受信回路部ＲＸ１１１（ｋ）と、送信回路部ＴＸ１１１（ｋ）またはＴＸ１１２（ｋ）と、制御回路Ｃ４２０（ｋ）と、電源部Ｐ１３１（ｋ）と、受信選択切換回路ＳＷＲ１４１（ｋ）と、送信選択切換回路ＳＷＴ２４１（ｋ）およびＳＷＴ２４２（ｋ）に相当する。
【０１１６】
＜受信回路＞
次に、受信回路部ＲＸ１１１（ｋ）について詳細に説明する。
【０１１７】
受信回路部ＲＸ１１１（ｋ）は、入出力部Ｚ１（ｋ）の入出力端子Ｚ１（ｋ、１）〜Ｚ１（ｋ、ｎ）あるいは入出力部Ｚ２（ｋ）の入出力端子Ｚ２（ｋ、１）〜Ｚ２（ｋ、ｎ）に入力された転送信号Ｎ１〜Ｎｎを入出力端子Ｚ１（ｋ、１）〜Ｚ１（ｋ、ｎ）およびＺ２（ｋ、１）〜Ｚ２（ｋ、ｎ）に対応した受信回路部ＲＸ１１１（ｋ）の受信回路ＲＸ１１１（ｋ、１）〜ＲＸ１１１（ｋ、ｎ）でそれぞれ受信する。転送信号Ｎ１〜Ｎｎは、受信回路ＲＸ１１１（ｋ、１）〜ＲＸ１１１（ｋ、ｎ）で受信され、制御回路Ｃ４２０（ｋ）にそれぞれ送られる。
【０１１８】
受信回路ＲＸ１１１（ｋ、１）〜ＲＸ１１１（ｋ、ｎ）は、制御信号により受信動作と受信停止の機能を備える。
【０１１９】
図３８と図３９と図４０に受信回路の構成例を示す。受信回路部は表示駆動装置の外形周囲辺の長辺側の中間に配置されて、また２つの入出力部を対称とする位置に配置することが望ましい。
【０１２０】
＜制御回路＞
次に、制御回路Ｃ４２０（ｋ）について詳細に説明する。
【０１２１】
制御回路Ｃ４２０（ｋ）には、受信回路部ＲＸ１１１（ｋ）で受信する転送信号Ｎ１〜Ｎｎが入力される。
【０１２２】
また、表駆動装置Ｄ７０１（ｋ）の外部に転送信号Ｎ１〜Ｎｎを出力するために制御回路Ｃ４２０（ｋ）では送信回路部ＴＸ１１１（ｋ）やＴＸ１１２（ｋ）に送られる。送信回路部ＴＸ１１１（ｋ）あるいはＴＸ１１２（ｋ）のいずれか一方の送信回路部に制御回路から送るために、図２３に示すように制御回路Ｃ４２０（ｋ）の内部に出力選択切換回路を備える。図２５と図２６と図２７に送信選択切換回路の構成例を示す。制御回路から送る転送信号Ｎ１〜Ｎｎは出力選択切換信号の制御信号によって送信回路ＴＸ１１１（ｋ）もしくはＴＸ１１２（ｋ）のどちらか一方の送信回路に送られる。このとき、順方向接続モードと逆方向接続モードであり、順方向接続モードでは制御回路Ｃ４２０（ｋ）から送信回路部ＴＸ１１２（ｋ）と対応付け、逆方向接続モードでは制御回路Ｃ４２０（ｋ）
から送信回路部ＴＸ１１１（ｋ）と対応付ける。
【０１２３】
＜送信回路＞
次に、送信回路部ＴＸ１１１（ｋ）およびＴＸ１１２（ｋ）について詳細に説明する。
【０１２４】
入出力部Ｚ１（ｋ）に対応して送信回路部ＴＸ１１１（ｋ）を備え、Ｚ２（ｋ）に対応して送信回路部ＴＸ１１２（ｋ）を備える。制御回路Ｃ４２０（ｋ）からの送られたｎ個の転送信号Ｎ１〜Ｎｎを送信回路部ＴＸ１１１（ｋ）またはＴＸ１１２（ｋ）に入力する。送信回路部ＴＸ１１１（ｋ）で、送信回路ＴＸ１１１（ｋ、１）〜ＴＸ１１１（ｋ、ｎ）から送信選択切換回路ＳＷＴ２４１（ｋ）の送信選択切換回路ＳＷＴ２４１（ｋ、１）〜ＳＷＲ２４１（ｋ、ｎ）に対して送信し、また送信回路部ＴＸ１１２（ｋ）で、送信回路ＴＸ１１２（ｋ、１）〜ＴＸ１１２（ｋ、ｎ）から送信選択切換回路ＳＷＴ２４２（ｋ）の送信選択切換回路ＳＷＴ２４２（ｋ、１）〜ＳＷＲ２４２（ｋ、ｎ）に対して送信する。
【０１２５】
送信回路ＴＸ１１１（ｋ、１）〜ＴＸ１１１（ｋ、ｎ）また送信回路ＴＸ１１２（ｋ、１）〜ＴＸ１１２（ｋ、ｎ）は、制御信号により送信動作と送信停止の機能を備える。
【０１２６】
図４１と図４２と図４３に送信回路の構成例を示す。送信回路はそれぞれの入出力部の近傍で受信回路部および制御回路に対してそれぞれ対称になるように配置されることが望ましい。
【０１２７】
＜受信選択切換回路＞
次に、受信選択切換回路ＳＷＲ１４１（ｋ）について詳細に説明する。図４４また図４５に受信選択切換回路の構成例を示す。受信選択切換回路は制御信号により順方向接続モードと逆方向接続モードを備える。
【０１２８】
＜順方向接続モード＞
表示駆動装置Ｄ７０１（ｋ）において、受信選択切換回路ＳＷＲ１４１（ｋ）が順方向接続モードであるとき、受信回路部ＲＸ１１１（ｋ）は入出力部Ｚ１（ｋ）と対応付けられ、受信回路ＲＸ１１１（ｋ、１）〜ＲＸ１１１（ｋ、ｎ）はそれぞれ入出力端子Ｚ１（ｋ、１）〜Ｚ１（ｋ、ｎ）と対応付けて接続される。
【０１２９】
＜逆方向接続モード＞
受信選択切換回路ＳＷＲ１４１（ｋ）が逆方向接続モードであるとき、受信回路部ＲＸ１１１（ｋ）は、入出力部Ｚ２（ｋ）と対応付け、受信回路ＲＸ１１１（ｋ、１）〜ＴＸ１１１（ｋ、ｎ）はそれぞれ入出力端子Ｚ２（ｋ、１）〜Ｚ２（ｋ、ｎ）と対応付けて接続される。
【０１３０】
＜送信選択切換回路＞
次に、送信選択切換回路ＳＷＴ２４１（ｋ）およびＳＷＴ２４２（ｋ）について詳細に説明する。図４９に送信選択切換回路の構成例を示す。受信選択切換回路と同様に、送信選択切換回路は制御信号により順方向接続モードと逆方向接続モードを備える。
【０１３１】
＜順方向接続モード＞
表示駆動装置Ｄ７０１（ｋ）において、順方向接続モードであるとき、送信選択切換回路ＳＷＴ２４２（ｋ）は送信回路部ＴＸ１１２（ｋ）と入出力部Ｚ２（ｋ）とを対応付け、送信回路ＴＸ１１２（ｋ、１）〜ＴＸ１１２（ｋ、ｎ）はそれぞれ入出力端子Ｚ２（ｋ、１）〜Ｚ２（ｋ、ｎ）と対応付けて接続される。またこのとき送信選択切換回路ＳＷＴ２４１（ｋ）は入出力部Ｚ１（ｋ）との対応付けはされず、入出力部Ｚ１（ｋ）から見た
送信選択切換回路ＳＷＴ２４１（ｋ）はハイインピーダンスとなる。
【０１３２】
＜逆方向接続モード＞
逆方向接続モードであるとき、送信選択切換回路ＳＷＴ２４１（ｋ）は送信回路部ＴＸ１１１（ｋ）と入出力部Ｚ１（ｋ）とを対応付け、送信回路ＴＸ１１１（ｋ、１）〜ＴＸ１１１（ｋ、ｎ）はそれぞれ入出力端子Ｚ１（ｋ、１）〜Ｚ１（ｋ、ｎ）と対応付けて接続される。またこのとき送信選択切換回路ＳＷＴ２４２（ｋ）は入出力部Ｚ２（ｋ）との対応付けはされず、入出力部Ｚ２（ｋ）から見た送信選択切換回路ＳＷＴ２４２（ｋ）はハイインピーダンスとなる。
【０１３３】
＜端子配置＞
次に、入出力部Ｚ１（ｋ）およびＺ２（ｋ）、電源部Ｐ３３１（ｋ）の端子配置について詳細に説明する。
【０１３４】
入出力部Ｚ１（ｋ）およびＺ２（ｋ）は、ｋ番目の表示駆動装置Ｄ７０１（ｋ）の外形周囲辺において、その外形周囲辺の一端側に配置される。また電源部Ｐ３３１（ｋ）は入出力部Ｚ１（ｋ）とＺ２（ｋ）の外形周囲辺の間に配置される。このとき、入出力部Ｚ１（ｋ）、電源部Ｐ３３１（ｋ）、入出力部Ｚ２（ｋ）の並びになる。
【０１３５】
また、それぞれｎ個の入出力部Ｚ１（ｋ）の入出力端子Ｚ１（ｋ、１）〜Ｚ１（ｋ、ｎ）と入出力部Ｚ２（ｋ）の入出力端子Ｚ２（ｋ、１）〜Ｚ２（ｋ、ｎ）において、入出力端子Ｚ１（ｋ、１）〜Ｚ１（ｋ、ｎ）をｋ番目の表示駆動装置Ｄ７０１（ｋ）の外形周囲辺において、入出力端子Ｚ１（ｋ、１）、Ｚ１（ｋ、２）、・・・、Ｚ１（ｋ、ｎ）の順番に配置するとして、入出力端子Ｚ２（ｋ、１）〜Ｚ２（ｋ、ｎ）を入出力端子Ｚ１（ｋ、１）の近い側から外形周囲辺に沿って入出力端子Ｚ２（ｋ、１）、Ｚ２（ｋ、２）、・・・、Ｚ２（ｋ、ｎ）の順番に配置する。
【０１３６】
＜カスケード接続＞
次に、複数の表示駆動装置を備えて、それらを互いにカスケード接続して信号を順次転送する表示信号転送装置について詳細に説明する。
【０１３７】
図４６に示すように、転送信号Ｎ１〜Ｎｎをそれぞれの表示駆動装置の間で転送するために、ｋ番目の表示駆動装置Ｄ７０１（ｋ）の入出力部Ｚ２（ｋ）の入出力端子Ｚ２（ｋ、１）〜Ｚ２（ｋ、ｎ）と（ｋ＋１）番目の表示駆動装置Ｄ７０１（ｋ＋１）の入出力部Ｚ１（ｋ＋１）の入出力端子Ｚ１（ｋ＋１、１）〜Ｚ１（ｋ＋１、ｎ）とを配線接続する。（ｋ＋２）番目の表示駆動装置においても、同様に入出力部Ｚ１（ｋ＋２）およびＺ２（ｋ＋２）で順次カスケード接続して、以降の表示信号転送装置を構成する。
【０１３８】
＜動作＞
次に、図４６に示す表示駆動装置と表示信号転送装置による動作について説明する。
【０１３９】
＜順方向接続モード＞
順方向接続モードになると、１番目の初段の表示駆動装置からＭ番目の最終段の表示駆動装置までの方向で信号転送する表示信号転送装置において、ｋ番目の表示駆動装置Ｄ７０１（ｋ）の入出力部Ｚ１（ｋ）の入出力端子Ｚ１（ｋ、１）〜Ｚ１（ｋ、ｎ）に、前段の（ｋ−１）番目の表示駆動装置から送られる転送信号Ｎ１〜Ｎｎをそれぞれ入力し、受信回路部ＲＸ１１１（ｋ）の受信回路ＲＸ１１１（ｋ、１）〜ＲＸ１１１（ｋ、ｎ）で受信する。このとき、受信選択切換回路部ＳＷＲ１４１（ｋ）は受信回路部ＲＸ１１１（ｋ）と入出力部Ｚ１（ｋ）とを対応付ける。
【０１４０】
そして受信した転送信号Ｎ１〜Ｎｎを制御回路Ｃ４２０（ｋ）に送り、制御回路Ｃ４２０（ｋ）によってクロックによる表示データのラッチ処理や制御信号の制御処理などが行われる。また（ｋ＋１）番目の表示駆動装置７０１（ｋ＋１）に転送するために、制御回路Ｃ４２０（ｋ）より送信回路部ＴＸ１１２（ｋ）の送信回路ＴＸ１１２（ｋ、１）〜ＴＸ１１２（ｋ、ｎ）に信号Ｎ１〜Ｎｎをそれぞれ送る。このとき、送信選択切換回路部ＳＷＴ２４２（ｋ）は送信回路部ＴＸ１１２（ｋ）と入出力部Ｚ２（ｋ）とを対応付ける。転送信号Ｎ１〜Ｎｎは入出力部Ｚ２（ｋ）の入出力端子Ｚ２（ｋ、１）〜Ｚ２（ｋ、ｎ）から表示駆動装置Ｄ７０１（ｋ）の外部に出力される。また、このとき送信選択切換回路部ＳＷＴ２４１（ｋ）によって送信回路部ＴＸ１１１（ｋ）と入出力部Ｚ１（ｋ）は接続されず、入出力部Ｚ１（ｋ）の入出力端子Ｚ１（ｋ、１）〜Ｚ１（ｋ、ｎ）から見た送信回路部ＴＸ１１１（ｋ）のＴＸ１１１（ｋ、１）〜ＴＸ１１１（ｋ、ｎ）はそれぞれハイインピーダンスにする。
【０１４１】
表示駆動装置Ｄ７０１（ｋ）の入出力部Ｚ２（ｋ）の入出力端子Ｚ２（ｋ、１）〜Ｚ２（ｋ、ｎ）から出力される転送信号Ｎ１〜Ｎｎは（ｋ＋１）番目の表示駆動装置Ｄ７０１（ｋ＋１）の入出力部Ｚ１（ｋ＋１）の入出力端子Ｚ１（ｋ＋１、１）〜Ｚ１（ｋ＋１、ｎ）に入力される。入力された転送信号Ｎ１〜Ｎｎは、それぞれ表示駆動装置Ｄ７０１（ｋ＋１）の受信回路部ＲＸ１１１（ｋ＋１）の受信回路ＲＸ１１１（ｋ＋１、１）〜ＲＸ１１１（ｋ＋１、ｎ）で受信される。このとき、受信選択切換回路部ＳＷＲ１４１（ｋ＋１）は受信回路部ＲＸ１１１（ｋ＋１）と入出力部Ｚ１（ｋ＋１）とを対応付ける。
【０１４２】
また、ｋ番目の表示駆動装置Ｄ７０１（ｋ）において処理される信号がラッチ処理される期間では、（ｋ＋１）番目以降の表示駆動装置に信号転送を行わないように、表示駆動装置Ｄ７０１（ｋ）の送信回路部ＴＸ１１２（ｋ）の送信動作を停止して、また（ｋ＋１）番目の表示駆動装置Ｄ７０１（ｋ＋１）の受信回路部ＲＸ１１１（ｋ＋１）の受信動作を停止する。そして、ｋ番目の表示駆動装置Ｄ７０１（ｋ）で処理される信号のラッチ処理が完了する手前の期間で、送信回路部ＴＸ１１２（ｋ）の送信動作を起動し、（ｋ＋１）番目の表示駆動装置Ｄ７０１（ｋ＋１）のラッチ処理が開始する手前で、（ｋ＋１）番目の表示駆動装置Ｄ７０１（ｋ＋１）の受信回路部ＲＸ１１１（ｋ＋１）の受信動作を起動させる。また（ｋ＋１）番目の表示駆動装置Ｄ７０１（ｋ＋１）において処理される信号がラッチ処理される期間では、（ｋ＋１）番目以前の表示駆動装置で信号転送を行うように、表示駆動装置Ｄ７０１（ｋ）の送信回路部ＴＸ１１２（ｋ）の送信動作を動作して、また（ｋ＋１）番目の表示駆動装置Ｄ７０１（ｋ＋１）の受信回路部ＲＸ１１１（ｋ＋１）の受信動作を動作させる。そして、（ｋ＋１）番目の表示駆動装置Ｄ７０１（ｋ＋１）で処理される信号のラッチ処理が完了する後の期間で、受信回路部ＲＸ１１１（ｋ＋１）の受信動作を停止して、それに連動して、ｋ番目の表示駆動装置Ｄ７０１（ｋ）の送信回路部ＴＸ１１２（ｋ）の送信動作を停止させる。
【０１４３】
以降の表示駆動装置の間では、順次前記と同様に信号転送される。
【０１４４】
さらに、表示駆動装置に共通のクロック信号や制御信号に関する少なくとも１つの経路の受信回路や送信回路を常時動作させ、その信号以外の転送にかかわる受信回路や送信回路の動作機能を制御信号により全て停止させる。
【０１４５】
さらに、最終段のＭ番目の表示駆動装置で、送信回路ＴＸ１１２（Ｍ）の送信動作を常時停止する。
【０１４６】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号に
よってＶｏｕｔを固定信号の出力とする。
【０１４７】
＜逆方向接続モード＞
逆方向接続モードになると、前記順方向接続モードとは逆方向の信号転送を行い、Ｍ番目の表示駆動装置を表示信号転送装置の初段から１番目の表示駆動装置を表示信号転送装置の最終段までの方向で信号転送する表示信号転送装置において、（ｋ＋１）番目の表示駆動装置Ｄ７０１（ｋ＋１）の入出力部Ｚ２（ｋ＋１）の入出力端子Ｚ２（ｋ＋１、１）〜Ｚ２（ｋ＋１、ｎ）にそれぞれ入力し、受信回路部ＲＸ１１１（ｋ＋１）の受信回路ＲＸ１１１（ｋ＋１、１）〜ＲＸ１１１（ｋ＋１、ｎ）で受信する。このとき、受信選択切換回路部ＳＷＲ１４１（ｋ＋１）は受信回路部ＲＸ１１１（ｋ＋１）と入出力部Ｚ２（ｋ＋１）とを対応付ける。
【０１４８】
そして受信した転送信号Ｎ１〜Ｎｎを制御回路Ｃ４２０（ｋ＋１）に送り、制御回路Ｃ４２０（ｋ＋１）によってクロックによる表示データのラッチ処理や制御信号の制御処理などが行われる。またｋ番目の表示駆動装置Ｄ７０１（ｋ）に対して転送するために、制御回路Ｃ４２０（ｋ＋１）より送信回路部ＴＸ１１１（ｋ＋１）の送信回路ＴＸ１１１（ｋ＋１、１）〜ＴＸ１１１（ｋ＋１、ｎ）に転送信号Ｎ１〜Ｎｎをそれぞれ送る。このとき、送信選択切換回路部ＳＷＴ２４１（ｋ＋１）は送信回路部ＴＸ１１１（ｋ＋１）と入出力部Ｚ１（ｋ＋１）とを対応付ける。転送信号Ｎ１〜Ｎｎは入出力部Ｚ１（ｋ＋１）の入出力端子Ｚ１（ｋ＋１、１）〜Ｚ１（ｋ＋１、ｎ）から表示駆動装置Ｄ７０１（ｋ＋１）の外部に出力される。また、このとき送信選択切換回路部ＳＷＴ２４２（ｋ＋１）によって送信回路部ＴＸ１１２（ｋ＋１）と入出力部Ｚ２（ｋ＋１）は接続されず、入出力部Ｚ２（ｋ＋１）の入出力端子Ｚ２（ｋ＋１、１）〜Ｚ２（ｋ＋１、ｎ）から見た送信回路部ＴＸ１１２（ｋ＋１）のＴＸ１１２（ｋ＋１、１）〜ＴＸ１１２（ｋ＋１、ｎ）はそれぞれハイインピーダンスにする。
【０１４９】
表示駆動装置Ｄ７０１（ｋ＋１）の入出力部Ｚ１（ｋ＋１）の入出力端子Ｚ１（ｋ＋１、１）〜Ｚ１（ｋ＋１、ｎ）から出力される転送信号Ｎ１〜Ｎｎはｋ番目の表示駆動装置Ｄ５０１（ｋ）の入出力部Ｚ２（ｋ）の入出力端子Ｚ２（ｋ、１）〜Ｚ２（ｋ、ｎ）に入力される。入力された転送信号Ｎ１〜Ｎｎは、それぞれ表示駆動装置Ｄ７０１（ｋ）の受信回路部ＲＸ１１１（ｋ）の受信回路ＲＸ１１１（ｋ、１）〜ＲＸ１１１（ｋ、ｎ）で受信される。このとき、受信選択切換回路部ＳＷＲ１４１（ｋ）は受信回路部ＲＸ１１１（ｋ）と入出力部Ｚ２（ｋ）とを対応付ける。
【０１５０】
また、（ｋ＋１）番目の表示駆動装置Ｄ７０１（ｋ＋１）において処理される信号がラッチ処理されるときは、ｋ番目以降の表示駆動装置に信号転送を行わないように、表示駆動装置Ｄ７０１（ｋ＋１）の送信回路部ＴＸ１１１（ｋ＋１）の送信動作を停止して、またｋ番目の表示駆動装置Ｄ７０１（ｋ）の受信回路部ＲＸ１１１（ｋ）の受信動作を停止する。そして、（ｋ＋１）番目の表示駆動装置Ｄ７０１（ｋ＋１）で処理される信号のラッチ処理が完了する手前の期間で、送信回路部ＴＸ１１１（ｋ＋１）の送信動作を起動し、ｋ番目の表示駆動装置Ｄ７０１（ｋ）のラッチ処理が開始する手前で、ｋ番目の表示駆動装置Ｄ７０１（ｋ）の受信回路部ＲＸ１１１（ｋ）の受信動作を起動させる。
【０１５１】
またｋ番目の表示駆動装置Ｄ７０１（ｋ）において処理される信号がラッチ処理される期間では、ｋ番目以前の表示駆動装置で信号転送を行うように、表示駆動装置Ｄ７０１（ｋ＋１）の送信回路部ＴＸ１１１（ｋ＋１）の送信動作を動作して、またｋ番目の表示駆動装置Ｄ７０１（ｋ）の受信回路部ＲＸ１１１（ｋ）の受信動作を動作させる。そして、ｋ番目の表示駆動装置Ｄ７０１（ｋ）で処理される信号のラッチ処理が完了する後の期間で、受信回路部ＲＸ１１１（ｋ）の受信動作を停止して、それに連動して、（ｋ＋１）番目の表示駆動装置Ｄ７０１（ｋ＋１）の送信回路部ＴＸ１１１（ｋ＋１）の送信動作を停
止させる。
【０１５２】
以降の表示駆動装置の間では、順次前記と同様に信号転送される。
【０１５３】
さらに、表示駆動装置に共通のクロック信号や制御信号に関する少なくとも１つの経路の受信回路や送信回路を常時動作させ、その信号以外の転送にかかわる受信回路や送信回路の動作機能を制御信号により全て停止させる。
【０１５４】
さらに、最終段の１番目の表示駆動装置で、送信回路ＴＸ１１１（１）の送信動作を常時停止する。
【０１５５】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号によってＶｏｕｔを固定信号の出力とする。
【０１５６】
前記第２の実施形態では、２つの入出力部の表示駆動装置で、対応する１つの受信回路部および２つの送信回路部と、１つの受信選択切換回路と２つの送信選択切換回路を備えているが、図４７に示すように、受信回路と送信回路を逆にした実施形態例として、２つ入出力部の表示駆動装置で、対応する２つの受信回路部および１つの受信回路部と、２つの受信選択切換回路と１つの送信選択切換回路を備える場合の構成例を示す。図４８に受信選択切換回路の構成例を示す。
【０１５７】
図４７は２つの入出力部Ｚ１（ｋ）およびＺ２（ｋ）に対応して２つの受信回路部ＲＸ１１１（ｋ）およびＲＸ１１２(ｋ)を備えるｋ番目の表示駆動装置であり、入出力部Ｚ１（ｋ）とＺ２（ｋ）とを順次接続して信号転送する表示信号転送装置である。制御回路Ｃ５２０（ｋ）では前記制御回路と同様にクロックによる表示データのラッチ処理や制御信号の制御処理などが行われる。入出力部Ｚ１（ｋ）と受信回路部ＲＸ１１１（ｋ）とを対応付ける受信選択切換回路ＳＷＲ２４１（ｋ）と、入出力部Ｚ２（ｋ）と受信回路部ＲＸ１１２（ｋ）とを対応付ける受信選択切換回路ＳＷＲ２４２（ｋ）と、入出力部Ｚ１（ｋ）あるいはＺ２（ｋ）のどちらか一方と送信回路ＴＸ１１１（ｋ）とを対応付ける送信選択切換回路ＳＷＴ１４１（ｋ）を備える。
【０１５８】
ｋ番目の表示駆動装置から(ｋ+１)番目の表示駆動装置に信号転送を行う順方向接続モードにおいて、入出力部Ｚ１（ｋ）と受信選択切換回路ＳＷＲ２４１（ｋ）とを対応付けて受信回路部ＲＸ１１１（ｋ）で転送信号Ｎ１〜Ｎｎを受信する。(ｋ+１)番目の表示駆動装置に転送するために制御回路Ｄ５２０（ｋ）から送信回路部ＴＸ１１１（ｋ）に送る。送信選択回路ＳＷＴ１４１（ｋ）によって送信回路部ＴＸ１１１（ｋ）と入出力部Ｚ２（ｋ）とを対応付ける。このとき受信回路部ＲＸ１１２（ｋ）の受信動作を停止したり、または入出力部Ｚ２（ｋ）と受信回路部ＲＸ１１２（ｋ）とを対応付けをしない。（ｋ＋１）番目以降の表示駆動装置で順次信号転送を行う。
【０１５９】
また、（ｋ＋１）番目の表示駆動装置からｋ番目の表示駆動装置に信号転送を行う逆方向接続モードにおいて、入出力部Ｚ２（ｋ＋１）と受信選択切換回路ＳＷＲ２４２（ｋ＋１）とを対応付けて受信回路部ＲＸ１１２（ｋ）で転送信号Ｎ１〜Ｎｎを受信する。ｋ番目の表示駆動装置に転送するために制御回路Ｄ５２０（ｋ＋１）から送信回路部ＴＸ１１１（ｋ＋１）に送る。送信選択回路ＳＷＴ１４１（ｋ＋１）によって送信回路部ＴＸ１１１（ｋ＋１）と入出力部Ｚ１（ｋ＋１）とを対応付ける。このとき受信回路部ＲＸ１１１（ｋ＋１）の受信動作を停止したり、または入出力部Ｚ１（ｋ＋１）と受信回路部ＲＸ１１１（ｋ＋１）とを対応付けをしない。ｋ番目以降の表示駆動装置で順次信号転送を行う
。
【０１６０】
＜効果＞
以上のように、本実施形態による表示駆動装置および表示信号転送装置では、受信選択切換回路と送信選択切換回路によって２つの入出力部と送信回路および受信回路との接続対応付けを転送方向に応じて変更することで、従来よりも受信回路部あるいは送信回路の総面積を削減することができ、これにより従来よりも低コスト化、かつ低消費電力化を図ることができる。かつ、前記実施形態と同様に、表示信号転送装置の最終段の送信回路を常時停止し、また次段以降の表示駆動装置に関与する信号を動作停止する機能を備えた送信回路で送信したり、該当表示駆動装置に関与する信号を動作停止する機能を備えた受信回路で受信したり、また制御信号により表示駆動装置を構成する全ての回路を停止する機能で制御したり、また常時それぞれの表示駆動装置の共通のクロック信号などを初段から最終段まで転送する機能を有することで、より効果的に表示信号転送装置を制御でき、低消費電力化を図ることができる。また入力部および出力部とそれらの端子と電源部を前記配置にすることによって、複数の表示駆動装置をカスケード接続する転送信号配線は互いに交差せず、電源部に対する電源供給配線もまた転送信号配線に交差させることなくそれぞれ接続することができる。これにより、複数の転送信号や電源供給配線を多層にすることなく単層で形成することができるため、前記端子配置を備えた表示駆動装置で構成する表示信号転送装置もまた低コスト化を図ることができる。
【０１６１】
第２の実施形態は、前記実施形態よりも入出力端子による端子数の削減や装置面積の削減や低消費電力化が図れ、実装コストの低減化が図れ、信号転送方向によるカスケード接続配線の形成を変更しない場合に実施されることが望ましい。
【０１６２】
（第３の実施形態）
＜構成＞
この発明の第３の実施形態による表示信号転送装置とｋ番目および（ｋ＋１）番目の表示駆動装置の構成を図１３に示す。この実施形態による表示信号転送装置は、Ｍ個の表示駆動装置を備える。ｋ番目の表示駆動装置Ｄ５０１（ｋ）は、入出力部Ｚ１（ｋ）およびＺ２（ｋ）と、入出力部Ｚ１（ｋ）あるいはＺ２（ｋ）に対応する受信回路部ＲＸ１１１（ｋ）と送信回路部ＴＸ１１１（ｋ）と、制御回路Ｃ２２０（ｋ）とを備える。入出力部Ｚ１（ｋ）およびＺ２（ｋ）はそれぞれｎ個の入出力端子Ｚ１（ｋ、１）〜Ｚ１（ｋ、ｎ）およびＺ２（ｋ、１）〜Ｚ２（ｋ、ｎ）を備える。受信回路部ＲＸ１１１（ｋ）は、ｎ個の受信回路ＲＸ１１１（ｋ、１）〜ＲＸ１１１（ｋ、ｎ）を備え、送信回路部ＴＸ１１１（ｋ）は、ｎ個の送信回路ＴＸ１１１（ｋ、１）〜ＴＸ１１１（ｋ、ｎ）を備える。また、表示駆動装置を構成する受信回路や送信回路や制御回路に電源や固定制御信号の電気供給を行うために、電源部Ｐ３３１（ｋ）を備える。ｋ番目の表示駆動装置Ｄ５０１（ｋ）の外形周囲辺において、外形周囲辺の一端側に入出力部Ｚ１（ｋ）とＺ２（ｋ）を配置して、電源部Ｐ３３１（ｋ）を入出力部Ｚ１（ｋ）とＺ２（ｋ）の間に配置する。
【０１６３】
受信回路部ＲＸ１１１（ｋ）および送信回路部ＴＸ１１１（ｋ）を制御回路Ｃ２２０（ｋ）と接続し、さらに受信回路部ＲＸ１１１（ｋ）および送信回路部ＴＸ１１１（ｋ）と入出力部Ｚ１（ｋ）およびＺ２（ｋ）との接続を行うための受信選択切換回路部ＳＷＲ１４１（ｋ）と送信選択切換回路部ＳＷ４３２（ｋ）を備える。
【０１６４】
受信回路ＲＸ１１１（ｋ、１）は受信選択切換回路ＳＷＲ１４１（ｋ、１）と接続され、受信選択切換回路ＳＷＲ１４１（ｋ、１）は入出力端子Ｚ１（ｋ、１）およびＺ２（ｋ、１）と接続される。同様に受信回路ＲＸ１１１（ｋ、２）は受信選択切換回路ＳＷＲ１４１（ｋ、２）と接続され、受信選択切換回路ＳＷＲ１４１（ｋ、２）は入出力端子Ｚ１（ｋ、２）およびＺ２（ｋ、２）と接続され、また受信回路ＲＸ１１１（ｋ、ｎ）は受信
選択切換回路ＳＷＲ１４１（ｋ、ｎ）と接続され、受信選択切換回路ＳＷＲ１４１（ｋ、ｎ）は入出力端子Ｚ１（ｋ、ｎ）およびＺ２（ｋ、ｎ）と接続される。また、送信回路ＴＸ１１１（ｋ、１）は送信選択切換回路ＳＷＴ１４１（ｋ、１）と接続され、送信選択切換回路ＳＷＴ１４１（ｋ、１）は入出力端子Ｚ２（ｋ、１）およびＺ１（ｋ、１）と接続される。同様に送信回路ＴＸ１１１（ｋ、２）は送信選択切換回路ＳＷＴ１４１（ｋ、２）と接続され、送信選択切換回路ＳＷＴ１４１（ｋ、２）は入出力端子Ｚ２（ｋ、２）およびＺ１（ｋ、２）と接続され、また送信回路ＴＸ１１１（ｋ、ｎ）は送信選択切換回路ＳＷＴ１４１（ｋ、ｎ）と接続され、送信選択切換回路ＳＷＴ１４１（ｋ、ｎ）は入出力端子Ｚ２（ｋ、ｎ）およびＺ１（ｋ、ｎ）と接続される。
【０１６５】
（ｋ＋１）番目の表示駆動装置Ｄ５０１（ｋ＋１）における、入出力部Ｚ１（ｋ＋１）はｋ番目の表示駆動装置Ｄ５０１（ｋ）の入出力部Ｚ１（ｋ）に相当する。同様に、（ｋ＋１）番目の表示駆動装置Ｄ５０１（ｋ＋１）における、入出力部Ｚ２（ｋ＋１）と、受信回路部ＲＸ１１１（ｋ＋１）と、送信回路部ＴＸ１１１（ｋ＋１）と、制御回路Ｃ２２０（ｋ＋１）と、電源部Ｐ３３１（ｋ＋１）と、受信選択制御回路部ＳＷＲ１４１（ｋ＋１）および送信選択制御回路部ＳＷＴ１４１（ｋ＋１）は、それぞれｋ番目の表示駆動装置Ｄ５０１（ｋ）の入出力部Ｚ２（ｋ）と、受信回路部ＲＸ１１１（ｋ）と、送信回路部ＴＸ１１１（ｋ）と、制御回路Ｃ２２０（ｋ）と、電源部Ｐ３３１（ｋ）と、受信選択制御回路部ＳＷＲ１４１（ｋ）および送信選択制御回路部ＳＷＴ１４１（ｋ）に相当する。
【０１６６】
＜受信回路＞
次に、受信回路部ＲＸ１１１（ｋ）について詳細に説明する。
【０１６７】
受信回路部ＲＸ１１１（ｋ）の受信回路ＲＸ１１１（ｋ、１）〜ＲＸ１１１（ｋ、ｎ）は、入出力部Ｚ１（ｋ）の入出力端子Ｚ１（ｋ、１）〜Ｚ１（ｋ、ｎ）あるいは入出力部Ｚ２（ｋ）の入出力端子Ｚ２（ｋ、１）〜Ｚ２（ｋ、ｎ）のどちらか一方から入力された転送信号Ｎ１〜Ｎｎを受信する。受信した転送信号Ｎ１〜Ｎｎは制御回路Ｃ２２０（ｋ）に送られる。
【０１６８】
また、受信回路ＲＸ１１１（ｋ、１）〜ＲＸ１１１（ｋ、ｎ）は、制御信号により受信動作と受信停止の機能を備える。
【０１６９】
図３８と図３９と図４０に受信回路の構成例を示す。
【０１７０】
受信回路部は表示駆動装置の中央に配置され、入出力部Ｚ１（ｋ）とＺ２（ｋ）を対称にする位置に配置されることが望ましい。
【０１７１】
＜制御回路＞
次に、制御回路Ｃ２２０（ｋ）について詳細に説明する。
【０１７２】
実施形態１での制御回路Ｃ２２０（ｋ）と同等で、制御回路Ｃ２２０（ｋ）には受信回路部ＲＸ１１１（ｋ）で受信する転送信号Ｎ１〜Ｎｎが入力され、外部に転送信号Ｎ１〜Ｎｎを出力するために送信回路部ＴＸ１１１（ｋ）に入力する。
【０１７３】
＜送信回路＞
次に、送信回路部ＴＸ１１１（ｋ）について詳細に説明する。
【０１７４】
送信回路部ＴＸ１１１（ｋ）は、制御回路Ｃ２２０（ｋ）から送る転送信号Ｎ１〜Ｎｎを入出力部Ｚ１（ｋ）の入出力端子Ｚ１（ｋ、１）〜Ｚ１（ｋ、ｎ）あるいは入出力部Ｚ２（ｋ）の入出力端子Ｚ２（ｋ、１）〜Ｚ２（ｋ、ｎ）のどちらか一方から出力するため
に、送信回路部ＴＸ１１１（ｋ）の送信回路ＴＸ１１１（ｋ、１）〜ＴＸ１１１（ｋ、ｎ）からそれぞれ送信する。入出力部Ｚ１（ｋ）あるいは入出力部Ｚ２（ｋ）の接続対応付けは受信選択制御回路ＳＷＲ１４１（ｋ）および送信選択制御回路ＳＷＴ１４１（ｋ）によって行う。
【０１７５】
また、送信回路ＴＸ１１１（ｋ、１）〜ＴＸ１１１（ｋ、ｎ）は、制御信号により送信動作と送信停止の機能を備える。
【０１７６】
図４１と図４２と図４３に送信回路の構成例を示す。送信回路部は、受信回路部と同様に、表示駆動装置の中央に配置され、入出力部Ｚ１（ｋ）とＺ２（ｋ）を対称にする位置に配置されることが望ましい。
【０１７７】
＜端子配置＞
次に、入出力部Ｚ１（ｋ）およびＺ２（ｋ）、電源部Ｐ３３１（ｋ）の端子配置について詳細に説明する。
【０１７８】
入出力部Ｚ１（ｋ）およびＺ２（ｋ）は、ｋ番目の表示駆動装置Ｄ５０１（ｋ）の外形周囲辺において、その外形周囲辺の一端側に配置される。また電源部Ｐ３３１（ｋ）は入出力部Ｚ１（ｋ）とＺ２（ｋ）の外形周囲辺の間に配置される。このとき、入出力部Ｚ１（ｋ）、電源部Ｐ３３１（ｋ）、入出力部Ｚ２（ｋ）の並びになる。
【０１７９】
また、それぞれｎ個の入出力部Ｚ１（ｋ）の入出力端子Ｚ１（ｋ、１）〜Ｚ１（ｋ、ｎ）と入出力部Ｚ２（ｋ）の入出力端子Ｚ２（ｋ、１）〜Ｚ２（ｋ、ｎ）において、入出力端子Ｚ１（ｋ、１）〜Ｚ１（ｋ、ｎ）をｋ番目の表示駆動装置Ｄ５０１（ｋ）の外形周囲辺において、入出力端子Ｚ１（ｋ、１）、Ｚ１（ｋ、２）、・・・、Ｚ１（ｋ、ｎ）の順番に配置するとして、入出力端子Ｚ２（ｋ、１）〜Ｚ２（ｋ、ｎ）を入出力端子Ｚ１（ｋ、１）の近い側から外形周囲辺に沿って入出力端子Ｚ２（ｋ、１）、Ｚ２（ｋ、２）、・・・、Ｚ２（ｋ、ｎ）の順番に配置する。
【０１８０】
＜受信選択切換回路、送信選択切換回路＞
次に、受信選択切換回路ＳＷＲ１４１（ｋ）および送信選択切換回路ＳＷＴ１４１（ｋ）について詳細に説明する。受信選択切換回路ＳＷＲ１４１（ｋ）および送信選択切換回路ＳＷＴ１４１（ｋ）は、順方向接続モードと逆方向接続モードを備える。
【０１８１】
＜順方向接続モード＞
図１３に示した表示駆動装置Ｄ５０１（ｋ）において順方向接続モードであるとき、受信選択切換回路ＳＷＲ１４１（ｋ）は受信回路部ＲＸ１１１（ｋ）と入出力部Ｚ１（ｋ）とを対応付け、受信回路ＲＸ１１１（ｋ、１）〜ＲＸ１１１（ｋ、ｎ）はそれぞれ入出力端子Ｚ１（ｋ、１）〜Ｚ１（ｋ、ｎ）と対応付けて接続される。また送信選択切換回路ＳＷＴ１４１（ｋ）は送信回路部ＴＸ１１１（ｋ）と入出力部Ｚ２（ｋ）とを対応付け、送信回路ＴＸ１１１（ｋ、１）〜ＴＸ１１１（ｋ、ｎ）はそれぞれ入出力端子Ｚ２（ｋ、１）〜Ｚ２（ｋ、ｎ）と対応付けて接続される。
【０１８２】
＜逆方向接続モード＞
図１０に示した表示駆動装置Ｄ５０１（ｋ）において逆方向接続モードであるとき、受信選択切換回路ＳＷＲ１４１（ｋ）は受信回路部ＲＸ１１１（ｋ）と入出力部Ｚ２（ｋ）とを対応付け、受信回路ＲＸ１１１（ｋ、１）〜ＲＸ１１１（ｋ、ｎ）はそれぞれ入出力端子Ｚ２（ｋ、１）〜Ｚ２（ｋ、ｎ）と対応付けて接続される。また送信選択切換回路ＳＷＴ１４１（ｋ）は送信回路部ＴＸ１１１（ｋ）と入出力部Ｚ１（ｋ）とを対応付け、送信回路ＴＸ１１１（ｋ、１）〜ＴＸ１１１（ｋ、ｎ）はそれぞれ入出力端子Ｚ１（ｋ、１
）〜Ｚ１（ｋ、ｎ）と対応付けて接続される。
【０１８３】
図４４または図４５に受信選択切換回路または送信選択切換回路の構成例を示す。入出力選択切換信号によって２つの入出力部のいずれか一方と受信回路とを接続し、他方の入出力部と送信回路とを接続する。
【０１８４】
＜カスケード接続＞
次に、複数の表示駆動装置を備えて、それらを互いにカスケード接続して信号を順次転送する表示信号転送装置について詳細に説明する。
【０１８５】
図１３また図１４に示すように、転送信号Ｎ１〜Ｎｎをそれぞれの表示駆動装置の間で転送するために、ｋ番目の表示駆動装置Ｄ５０１（ｋ）の入出力部Ｚ２（ｋ）の入出力端子Ｚ２（ｋ、１）〜Ｚ２（ｋ、ｎ）と（ｋ＋１）番目の表示駆動装置Ｄ５０１（ｋ＋１）の入出力部Ｚ１（ｋ＋１）の入出力端子Ｚ１（ｋ＋１、１）〜Ｚ１（ｋ＋１、ｎ）とを配線接続する。（ｋ＋２）番目の表示駆動装置においても、同様に入出力部Ｚ１（ｋ＋２）およびＺ２（ｋ＋２）で順次カスケード接続して、以降の表示信号転送装置を構成する。
【０１８６】
＜動作＞
次に、図１３に示す表示駆動装置と表示信号転送装置による動作について説明する。
【０１８７】
＜順方向接続モード＞
順方向接続モードになると、１番目の初段の表示駆動装置からＭ番目の最終段の表示駆動装置までの方向で信号転送する表示信号転送装置において、ｋ番目の表示駆動装置Ｄ５０１（ｋ）の入出力部Ｚ１（ｋ）の入出力端子Ｚ１（ｋ、１）〜Ｚ１（ｋ、ｎ）に、前段から送られる転送信号Ｎ１〜Ｎｎをそれぞれ入力し、受信回路部ＲＸ１１１（ｋ）の受信回路ＲＸ１１１（ｋ、１）〜ＲＸ１１１（ｋ、ｎ）で受信する。このとき、受信選択切換回路部ＳＷＲ１４１（ｋ）は受信回路部ＲＸ１１１（ｋ）と入出力部Ｚ１（ｋ）とを対応付ける。
【０１８８】
そして受信した転送信号Ｎ１〜Ｎｎを制御回路Ｃ２２０（ｋ）に送り、制御回路Ｃ２２０（ｋ）によってクロックによる表示データのラッチ処理や制御信号の制御処理などが行われる。また（ｋ＋１）番目の表示駆動装置５０１（ｋ＋１）に転送するために、制御回路Ｃ２２０（ｋ）より送信回路部ＴＸ１１１（ｋ）の送信回路ＴＸ１１１（ｋ、１）〜ＴＸ１１１（ｋ、ｎ）に信号Ｎ１〜Ｎｎをそれぞれ送る。このとき、送信選択切換回路部ＳＷＴ１４１（ｋ）は送信回路部ＴＸ１１１（ｋ）と入出力部Ｚ２（ｋ）とを対応付ける。転送信号Ｎ１〜Ｎｎは入出力部Ｚ２（ｋ）の入出力端子Ｚ２（ｋ、１）〜Ｚ２（ｋ、ｎ）から表示駆動装置Ｄ５０１（ｋ）の外部に出力される。
【０１８９】
表示駆動装置Ｄ５０１（ｋ）の入出力部Ｚ２（ｋ）の入出力端子Ｚ２（ｋ、１）〜Ｚ２（ｋ、ｎ）から出力される転送信号Ｎ１〜Ｎｎは（ｋ＋１）番目の表示駆動装置Ｄ５０１（ｋ＋１）の入出力部Ｚ１（ｋ＋１）の入出力端子Ｚ１（ｋ＋１、１）〜Ｚ１（ｋ＋１、ｎ）に入力される。入力された転送信号Ｎ１〜Ｎｎは、それぞれ表示駆動装置Ｄ５０１（ｋ＋１）の受信回路部ＲＸ１１１（ｋ＋１）の受信回路ＲＸ１１１（ｋ＋１、１）〜ＲＸ１１１（ｋ＋１、ｎ）で受信される。このとき、受信選択切換回路部ＳＷＲ１４１（ｋ＋１）は受信回路部ＲＸ１１１（ｋ＋１）と入出力部Ｚ１（ｋ＋１）とを対応付ける。
【０１９０】
また、ｋ番目の表示駆動装置Ｄ５０１（ｋ）において処理される信号がラッチ処理される期間では、（ｋ＋１）番目以降の表示駆動装置に信号転送を行わないように、表示駆動装置Ｄ５０１（ｋ）の送信回路部ＴＸ１１１（ｋ）の送信動作を停止して、また（ｋ＋１）番目の表示駆動装置Ｄ５０１（ｋ＋１）の受信回路部ＲＸ１１１（ｋ＋１）の受信動作
を停止する。そして、ｋ番目の表示駆動装置Ｄ５０１（ｋ）で処理される信号のラッチ処理が完了する手前の期間で、送信回路部ＴＸ１１１（ｋ）の送信動作を起動し、（ｋ＋１）番目の表示駆動装置Ｄ５０１（ｋ＋１）のラッチ処理が開始する手前で、（ｋ＋１）番目の表示駆動装置Ｄ５０１（ｋ＋１）の受信回路部ＲＸ１１１（ｋ＋１）の受信動作を起動させる。また（ｋ＋１）番目の表示駆動装置Ｄ５０１（ｋ＋１）において処理される信号がラッチ処理される期間では、（ｋ＋１）番目以前の表示駆動装置で信号転送を行うように、表示駆動装置Ｄ５０１（ｋ）の送信回路部ＴＸ１１１（ｋ）の送信動作を動作して、また（ｋ＋１）番目の表示駆動装置Ｄ５０１（ｋ＋１）の受信回路部ＲＸ１１１（ｋ＋１）の受信動作を動作させる。そして、（ｋ＋１）番目の表示駆動装置Ｄ５０１（ｋ＋１）で処理される信号のラッチ処理が完了する後の期間で、受信回路部ＲＸ１１１（ｋ＋１）の受信動作を停止して、それに連動して、ｋ番目の表示駆動装置Ｄ５０１（ｋ）の送信回路部ＴＸ１１１（ｋ）の送信動作を停止させる。
【０１９１】
以降の表示駆動装置の間では、順次前記と同様に信号転送される。
【０１９２】
さらに、表示駆動装置に共通のクロック信号や制御信号に関する少なくとも１つの経路の受信回路や送信回路を常時動作させ、その信号以外の転送にかかわる受信回路や送信回路の動作機能を制御信号により全て停止させる。
【０１９３】
さらに、最終段のＭ番目の表示駆動装置で、送信回路ＴＸ１１１（Ｍ）の送信動作を常時停止する。
【０１９４】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号によってＶｏｕｔを固定信号の出力とする。
【０１９５】
＜逆方向接続モード＞
逆方向接続モードになると、前記順方向接続モードとは逆方向の信号転送を行い、Ｍ番目の表示駆動装置を表示信号転送装置の初段から１番目の表示駆動装置を表示信号転送装置の最終段までの方向で信号転送する表示信号転送装置において、（ｋ＋１）番目の表示駆動装置Ｄ５０１（ｋ＋１）の入出力部Ｚ２（ｋ＋１）の入出力端子Ｚ２（ｋ＋１、１）〜Ｚ２（ｋ＋１、ｎ）にそれぞれ入力し、受信回路部ＲＸ１１１（ｋ＋１）の受信回路ＲＸ１１１（ｋ＋１、１）〜ＲＸ１１１（ｋ＋１、ｎ）で受信する。このとき、受信選択切換回路部ＳＷＲ１４１（ｋ＋１）は受信回路部ＲＸ１１１（ｋ＋１）と入出力部Ｚ２（ｋ＋１）とを対応付ける。
【０１９６】
そして受信した転送信号Ｎ１〜Ｎｎを制御回路Ｃ２２０（ｋ＋１）に送り、制御回路Ｃ２２０（ｋ＋１）によってクロックによる表示データのラッチ処理や制御信号の制御処理などが行われる。またｋ番目の表示駆動装置Ｄ５０１（ｋ）に対して転送するために、制御回路Ｃ２２０（ｋ＋１）より送信回路部ＴＸ１１１（ｋ＋１）の送信回路ＴＸ１１１（ｋ＋１、１）〜ＴＸ１１１（ｋ＋１、ｎ）に信号Ｎ１〜Ｎｎをそれぞれ送る。このとき、送信選択切換回路部ＳＷＴ１４１（ｋ＋１）は送信回路部ＴＸ１１１（ｋ＋１）と入出力部Ｚ１（ｋ＋１）とを対応付ける。転送信号Ｎ１〜Ｎｎは入出力部Ｚ１（ｋ＋１）の入出力端子Ｚ１（ｋ＋１、１）〜Ｚ１（ｋ＋１、ｎ）から表示駆動装置Ｄ５０１（ｋ＋１）の外部に出力される。
【０１９７】
表示駆動装置Ｄ５０１（ｋ＋１）の入出力部Ｚ１（ｋ＋１）の入出力端子Ｚ１（ｋ＋１、１）〜Ｚ１（ｋ＋１、ｎ）から出力される転送信号Ｎ１〜Ｎｎはｋ番目の表示駆動装置Ｄ５０１（ｋ）の入出力部Ｚ２（ｋ）の入出力端子Ｚ２（ｋ、１）〜Ｚ２（ｋ、ｎ）に入
力される。入力されたＮ１〜Ｎｎは、それぞれ表示駆動装置Ｄ５０１（ｋ）の受信回路部ＲＸ１１１（ｋ）の受信回路ＲＸ１１１（ｋ、１）〜ＲＸ１１１（ｋ、ｎ）で受信される。このとき、受信選択切換回路部ＳＷＲ１４１（ｋ）は受信回路部ＲＸ１１１（ｋ）と入出力部Ｚ２（ｋ）とを対応付ける。
【０１９８】
また、（ｋ＋１）番目の表示駆動装置Ｄ５０１（ｋ＋１）において処理される信号がラッチ処理されるときは、ｋ番目以降の表示駆動装置に信号転送を行わないように、表示駆動装置Ｄ５０１（ｋ＋１）の送信回路部ＴＸ１１１（ｋ＋１）の送信動作を停止して、またｋ番目の表示駆動装置Ｄ５０１（ｋ）の受信回路部ＲＸ１１１（ｋ）の受信動作を停止する。そして、（ｋ＋１）番目の表示駆動装置Ｄ５０１（ｋ＋１）で処理される信号のラッチ処理が完了する手前の期間で、送信回路部ＴＸ１１１（ｋ＋１）の送信動作を起動し、ｋ番目の表示駆動装置Ｄ５０１（ｋ）のラッチ処理が開始する手前で、ｋ番目の表示駆動装置Ｄ５０１（ｋ）の受信回路部ＲＸ１１１（ｋ）の受信動作を起動させる。
【０１９９】
また、ｋ番目の表示駆動装置Ｄ５０１（ｋ）において処理される信号がラッチ処理される期間では、ｋ番目以前の表示駆動装置で信号転送を行うように、表示駆動装置Ｄ５０１（ｋ＋１）の送信回路部ＴＸ１１１（ｋ＋１）の送信動作を動作して、またｋ番目の表示駆動装置Ｄ５０１（ｋ）の受信回路部ＲＸ１１１（ｋ）の受信動作を動作させる。そして、ｋ番目の表示駆動装置Ｄ５０１（ｋ）で処理される信号のラッチ処理が完了する後の期間で、受信回路部ＲＸ１１１（ｋ）の受信動作を停止して、それに連動して、（ｋ＋１）番目の表示駆動装置Ｄ５０１（ｋ＋１）の送信回路部ＴＸ１１１（ｋ＋１）の送信動作を停止させる。
【０２００】
以降の表示駆動装置の間では、順次前記と同様に信号転送される。
【０２０１】
さらに、表示駆動装置に共通のクロック信号や制御信号に関する少なくとも１つの経路の受信回路や送信回路を常時動作させ、その信号以外の転送にかかわる受信回路や送信回路の動作機能を制御信号により全て停止させる。
【０２０２】
さらに、最終段の１番目の表示駆動装置で、送信回路ＴＸ１１１（１）の送信動作を常時停止する。
【０２０３】
信号転送を停止する送信回路はハイインピーダンスもしくは固定信号として、信号転送の停止期間では、例えば、図４１ではＶｉｎ１およびＶｉｎ２を切り離し、または図４２ではイネーブル信号によってハイインピーダンスの出力としたり、図４３では制御信号によってＶｏｕｔを固定信号の出力とする。
【０２０４】
＜効果＞
以上のように、本実施形態による表示駆動装置および表示信号転送装置では、受信選択切換回路と送信選択切換回路によって２つの入出力部と送信回路および受信回路との接続対応付けを転送方向に応じて変更することで、従来よりも受信回路部および送信回路の総面積を半分に削減することができ、これにより従来よりも低コスト化、かつ低消費電力化を図ることができる。かつ、前記実施形態と同様に、表示信号転送装置の最終段の送信回路を常時停止し、また次段以降の表示駆動装置に関与する信号を動作停止する機能を備えた送信回路で送信したり、該当表示駆動装置に関与する信号を動作停止する機能を備えた受信回路で受信したり、また制御信号により表示駆動装置を構成する全ての回路を停止する機能で制御したり、また常時それぞれの表示駆動装置の共通のクロック信号などを初段から最終段まで転送する機能を有することで、より効果的に表示信号転送装置を制御でき、低消費電力化を図ることができる。また入力部および出力部とそれらの端子と電源部を前記配置にすることによって、複数の表示駆動装置をカスケード接続する転送信号配線は
互いに交差せず、電源部に対する電源供給配線もまた転送信号配線に交差させることなくそれぞれ接続することができる。これにより、複数の転送信号や電源供給配線を多層にすることなく単層で形成することができるため、前記端子配置を備えた表示駆動装置で構成する表示信号転送装置もまた低コスト化を図ることができる。
【０２０５】
第３の実施形態は、前記実施形態よりも装置面積の削減や低消費電力化が図れ、実装コストの低減化が図れる場合に実施されることが望ましい。
【０２０６】
（第４の実施形態）
＜構成＞
この発明の第４の実施形態の表示装置の構成例を図１５または図１６に示す。図１５または図１６の構成例では表示素子を駆動するための電気信号を出力する表示駆動装置を３個備え、表示転送信号装置の転送信号の転送方向は表示駆動装置Ｄ６０１（１）からＤ６０１（３）までを順方向接続モードとして、表示駆動装置Ｄ６０１（３）からＤ６０１（１）までを逆方向接続モードとする。図１５は順方向接続モードであり、図１６は逆方向接続モードの接続例の図である。表示駆動装置Ｄ６０１（１）〜Ｄ６０１（３）は前記表示駆動装置のＤ１０１（ｋ）〜Ｄ５０１（ｋ）あるいはＤ７０１（ｋ）あるいはＤ８０１（ｋ）のいずれかに相当し、図１〜図７および図４６および図４７に示し、図２３あるいは図２４または図３１あるいは図３２の制御回路に表示駆動装置Ｄ１０１〜Ｄ５０１あるいはＤ７０１（ｋ）あるいはＤ８０１（ｋ）での制御回路における基準電圧生成回路を含めた構成例を示し、図３７に基準電圧生成回路の構成例を示す。前記基準電圧生成回路は液晶素子のような電圧信号を印加することによって駆動する表示素子に印加するための階調電圧を生成する。
【０２０７】
この実施形態による表示装置は、複数の画素を備える表示装置のパネルガラス上に表示装置の解像度に応じて前記表示駆動装置Ｄ１０１（ｋ）〜Ｄ５０１（ｋ）あるいはＤ７０１（ｋ）あるいはＤ８０１（ｋ）のいずれかの表示駆動装置を複数備え、それら表示駆動装置を互いにカスケード接続して構成される前記表示信号転送装置を備える。このとき、表示装置を制御する制御装置（例えば、表示装置の制御ＬＳＩ）ＣＴＬ１５１を備え、制御装置ＣＴＬ１５１から転送信号Ｎ１〜Ｎｎを転送する。順方向接続モードでは表示駆動装置Ｄ６０１（１）に接続され、逆方向接続モードでは表示駆動装置Ｄ６０１（３）に接続される。例えば、転送信号は表示データやクロックや制御信号が送られる。表示データは表示装置の各画素を構成する表示素子に印加する電気信号に関する信号であり、クロックは表示駆動装置の制御回路でのラッチ処理や制御処理を行うなどの信号であり、制御信号は制御回路でラッチ処理した表示データを表示素子に対して出力処理を行うなどのための信号である。制御回路は前記Ｃ１２０（ｋ）〜Ｃ３２０（ｋ）に相当する。また、例えば、電源部および固定制御信号供給部で表示駆動装置の制御回路のための電源供給を行い、固定制御信号はカスケード接続での転送信号方向を決定するためなどの制御信号である。電源部および固定制御信号供給部は前記Ｐ１３１（ｋ）〜Ｐ３３１（ｋ）に相当する。図１５または図１６の構成例では、ＰＣＢ上に形成された電源配線ＶＤＤ１７１で電源装置ＰＷ１６１から伝送して、ＰＣＢと表示パネルガラスの間をＦＰＣあるいはＦＦＣを介して伝送して、表示駆動装置に対して電源を供給するように接続する。このとき、図１５または図１６では表示パネルガラスに対して横方向の電源配線の形成基板としてＰＣＢを挙げているが、ＦＰＣあるいはＦＦＣのみで表示パネルガラスに接続したり、またはＦＰＣとＦＦＣを組み合わせて表示パネルガラスに接続しても構わない。
【０２０８】
また、図５あるいは図６や図１１あるいは図１２や図１４に示すように、表示データやクロックや制御信号の前記転送信号を入力や出力するための端子や電源部を表示駆動装置の外形周囲辺の一端側に配置して、その他の一端側（例えば、入力や出力端子を配置する表示駆動装置の外形周囲辺の一端側に対して外形に垂直な一端側）またはその他の一端側
に対して対面する表示駆動装置の一端側（例えば、入力や出力端子を配置する一端側に対して表示駆動装置の外形周囲辺に垂直な両側）に、表示素子を電気的に駆動するための基準電圧を生成するための基準電圧生成回路の基準電圧入力部Ｖｒｅｆ（ｋ）を配置する。そして、基準電圧入力部Ｖｒｅｆ（ｋ）のＬ個の基準電圧入力端子Ｖｒｅｆ（ｋ、１）〜Ｖｒｅｆ（ｋ、Ｌ）（ＬはＬ≧２となる自然数）は互いの表示駆動装置で交差せず接続するように配置される。初段の表示駆動装置の基準電圧入力部Ｖｒｅｆ（ｋ）の一端側が表示装置の電圧装置ＰＷ１６１と接続され、またそれぞれの表示駆動装置の基準電圧入力部に他の配線と交差しないようにカスケード接続される。図５０と図５１に前記表示駆動装置の基準電圧入力部の接続例を示す。図５０に入力や出力端子を配置する表示駆動装置の外形周囲辺に垂直な一端側とそれに対面する一端側に基準電圧入力部を備え、それらをカスケード接続する構成例を示し、図５１に入力や出力端子を配置する表示駆動装置の外形周囲辺に垂直な一端側とそれに対面する一端側のどちらかの一端側に基準電圧入力部を備え、それらを互いに接続する構成例を示す。このとき、図５２に示すような基準電圧生成回路の入力が差動増幅回路のような構成であると、基準電圧生成回路の入力となるトランジスタのゲート部には電流は流れないため、基準電圧の配線での電圧降下は発生せず、図５１に示すような基準電圧入力部の配線を表示駆動装置外部のパネルガラス上に形成して順次接続することでも複数の表示駆動装置に基準電圧を共通に供給することができる。これにより、基準電圧に関する表示駆動装置内部の配線の引き廻しが不要となり、より小面積の表示駆動装置を構成することができる。この場合、基準電圧の配線に対して外部（例えば、パネルや表示駆動装置など）からのノイズとなる電気的影響をより受けない環境で構成されるのが望ましい。
【０２０９】
初段の表示駆動装置の基準電圧入力部Ｖｒｅｆ（ｋ）の供給として、電圧装置ＰＷ１６１は、順方向接続モードでは表示駆動装置Ｄ６０１（１）と接続され、逆方向接続モードでは表示駆動装置Ｄ６０１（３）と接続される。
【０２１０】
＜動作＞
次に、図１５または図１６に示した表示装置による動作について説明する。なおここでは、転送信号として、表示データＮ１〜Ｎ６、クロックＮｃｌｋ、表示素子への出力制御信号Ｎｓｔｂ、ラッチ処理制御信号Ｎｓｔａ（１）〜（３）とし、基準電圧として、基準電圧ｒｅｆ（１）〜（Ｌ）とした動作について説明する。ラッチ処理制御信号Ｎｓｔａ（１）は表示駆動回路Ｄ６０１（１）に入力する信号、同様に、ラッチ処理制御信号Ｎｓｔａ（２）は表示駆動回路Ｄ６０１（２）に入力する信号、ラッチ処理制御信号Ｎｓｔａ（３）は表示駆動回路Ｄ６０１（３）に入力する信号とする。
【０２１１】
＜順方向接続モード＞
図１５の表示信号転送装置の順方向接続モードでの表示装置において説明する。１番目の初段の表示駆動装置Ｄ６０１（１）から３番目の最終段の表示駆動装置Ｄ６０１（３）までの方向で信号転送する表示信号転送装置を備える。制御装置ＣＴＬ１５１から１番目の表示駆動装置Ｄ６０１（１）に表示信号Ｎ１〜Ｎ６やラッチ処理制御信号Ｎｓｔａ（１）やクロックＮｃｌｋを入力する。これらの信号を表示駆動装置Ｄ６０１（１）にて受信して、ラッチ処理制御信号Ｎｓｔａ（１）に応じて表示駆動装置Ｄ６０１（１）の制御回路でクロックＮｃｌｋに準じて表示データＮ１〜Ｎ６のラッチ処理を行う。表示駆動装置Ｄ６０１（１）でのラッチ処理完了の期間に連動して、表示駆動装置Ｄ６０１（１）から表示駆動装置Ｄ６０１（２）にラッチ処理制御信号Ｎｓｔａ（２）および表示データＮ１〜Ｎ６を送信出力する。表示駆動装置Ｄ６０１（２）では、表示駆動装置Ｄ６０１（１）と同様に、ラッチ処理制御信号Ｎｓｔａ（２）に応じて表示駆動装置Ｄ６０１（２）の制御回路にて表示データＮ１〜Ｎ６をクロックＮｃｌｋに準じてラッチ処理を行い、表示駆動装置Ｄ６０１（２）でのラッチ処理完了の期間に連動して、表示駆動装置Ｄ６０１（２）から表示駆動装置Ｄ６０１（３）にラッチ処理制御信号Ｎｓｔａ（３）および表示デー
タＮ１〜Ｎ６を送信出力する。表示駆動装置Ｄ６０１（３）では、表示駆動装置Ｄ６０１（１）やＤ６０１（２）と同様に、表示データＮ１〜Ｎ６をラッチ処理制御信号Ｎｓｔａ（３）に応じて表示駆動装置Ｄ６０１（３）の制御回路にてラッチ処理を行う。最終段となる表示駆動装置Ｄ６０１（３）では送信回路による送信動作を停止する。
【０２１２】
最終段の表示駆動装置Ｄ６０１（３）まで表示信号のラッチ処理が行われるのに十分な期間のあとに制御装置ＣＴＬ１５１から１番目の表示駆動装置Ｄ６０１（１）に表示素子への出力制御信号Ｎｓｔｂを入力して、順次表示駆動装置Ｄ６０１（１）〜Ｄ６０１（３）まで経由しながら転送される。出力制御信号Ｎｓｔｂに連動してそれぞれの表示駆動装置Ｄ６０１（１）〜Ｄ６０１（３）でラッチ処理した表示信号に応じた電気的信号を表示素子に出力し印加することで、表示装置に表示を行う。出力制御信号Ｎｓｔｂに連動してラッチ処理した表示データを複数のＤＡＣ回路に送り、表示素子を駆動するために表示データに応じた階調電圧をＤＡＣ回路から表示駆動装置の複数の表示素子駆動出力端子から表示素子に対して出力する。階調電圧に関する電気的信号は、基準電圧生成回路で生成された基準電圧ｒｅｆ（１）〜（Ｌ）をガンマ補正抵抗によって複数の階調電圧からＤＡＣ回路に供給され、表示データに応じて階調電圧のいずれかを選択される。外部からの基準電圧入力部Ｖｒｅｆ（ｋ）の供給として、電圧装置ＰＷ６０１から、表示駆動装置Ｄ６０１（１）の基準電圧入力部Ｖｒｅｆ（１）に基準電圧ｒｅｆ（１）〜（Ｌ）を供給する。そして表示駆動装置Ｄ６０１（１）から表示駆動装置Ｄ６０１（２）に供給され、また表示駆動装置Ｄ６０１（２）から表示駆動装置Ｄ６０１（３）に供給される。
【０２１３】
さらに、表示駆動装置に共通のクロック信号や制御信号の少なくとも１つの信号に関する経路の受信回路や送信回路は常時動作させ、その信号以外の転送にかかわる受信回路や送信回路や制御回路の動作機能を全て停止させる。
【０２１４】
＜逆方向接続モード＞
図１６の逆方向接続モードになると、前記順方向接続モードとは逆方向の信号転送を行い、３番目の初段の表示駆動装置Ｄ６０１（３）から１番目の最終段の表示駆動装置Ｄ６０１（１）までの方向で信号転送する表示信号転送装置を備える。制御装置ＣＴＬ１５１から３番目の表示駆動装置Ｄ６０１（３）に表示データＮ１〜Ｎ６やラッチ処理制御信号Ｎｓｔａ（３）やクロックＮｃｌｋや出力制御信号Ｎｓｔｂを入力する。これらの信号を表示駆動装置Ｄ６０１（３）にて受信して、ラッチ処理制御信号Ｎｓｔａ（３）に応じて表示駆動装置Ｄ６０１（３）の制御回路でクロックＮｃｌｋに準じてラッチ処理を行う。表示駆動装置Ｄ６０１（３）のラッチ処理完了の期間に連動して、表示駆動装置Ｄ６０１（３）から表示駆動装置Ｄ６０１（２）にラッチ処理制御信号Ｎｓｔａ（２）および表示データＮ１〜Ｎ６を送信出力する。表示駆動装置Ｄ６０１（２）では、表示駆動装置Ｄ６０１（３）と同様に、表示信号Ｎ１〜Ｎ６をラッチ処理制御信号Ｎｓｔａ（２）に応じて表示駆動装置Ｄ６０１（２）の制御回路にてラッチ処理を行い、表示駆動装置Ｄ６０１（２）のラッチ処理完了の期間に連動して、表示駆動装置Ｄ６０１（２）から表示駆動装置Ｄ６０１（１）にラッチ処理制御信号Ｎｓｔａ（１）および表示データＮ１〜Ｎ６を送信出力する。表示駆動装置Ｄ６０１（１）では、表示駆動装置Ｄ６０１（３）やＤ６０１（２）と同様に、表示データＮ１〜Ｎ６をラッチ処理制御信号Ｎｓｔａ（１）に応じて表示駆動装置Ｄ６０１（１）の制御回路にてラッチ処理を行う。最終段となる表示駆動装置Ｄ６０１（１）では送信回路による送信は行わない。
【０２１５】
最終段の表示駆動装置Ｄ６０１（１）まで表示信号のラッチ処理が行われるのに十分な期間のあとに制御装置ＣＴＬ１５１から３番目の表示駆動装置Ｄ６０１（３）に表示素子への出力制御信号Ｎｓｔｂを入力して、表示駆動装置Ｄ６０１（３）、Ｄ６０１（２）、Ｄ６０１（１）までの順番で経由しながら転送される。出力制御信号Ｎｓｔｂに連動して、前記順方向接続モードでのそれぞれの表示駆動装置の制御回路の動作と同様に、それぞ
れの表示駆動装置Ｄ６０１（１）〜Ｄ６０１（３）でラッチ処理した表示信号に関する電気的信号を表示素子に印加することで、表示装置に表示を行う。基準電圧入力部の供給として、電圧装置ＰＷ６０１から、表示駆動装置Ｄ６０１（３）の基準電圧入力部Ｖｒｅｆ（３）に基準電圧ｒｅｆ（１）〜（Ｌ）を供給する。そして表示駆動装置Ｄ６０１（３）から表示駆動装置Ｄ６０１（２）に供給され、また表示駆動装置Ｄ６０１（２）から表示駆動装置Ｄ６０１（１）に供給される。
【０２１６】
図１５および図１６では表示駆動装置を３個備えた表示信号転送装置で説明しているが、２個ないし４個以上の表示駆動装置を備えた表示信号転送装置で構成する表示装置も同様である。また、ここではＮ１〜Ｎ６までの６つの表示信号をそれぞれの表示駆動装置の間で転送しているが、前段の表示駆動装置の送信転送の端子数よりも受信する次段の表示駆動装置の端子数が等しくなくても構わない。さらに、ここでは制御装置からの転送信号の方向と、基準電圧の供給方向を合わせているが、転送信号が順方向接続モードで、基準電圧の供給方向が逆方向接続モードであっても構わない。また、その逆も同様である。
【０２１７】
＜効果＞
以上のように、本実施形態による表示装置では、従来よりも受信回路や送信回路の面積を削減した表示駆動装置を備えた表示信号転送装置で構成することで、従来よりも低消費電力化ができ、かつ表示駆動装置の面積削減や、それぞれの表示駆動装置の転送信号配線や電源部供給配線や基準電圧入力部配線の接続配線を単層で形成して互いに接続することで、従来よりも表示装置の低コスト化を図ることができる。
【０２１８】
また、例えば、図１５から図１６への装置仕様変更に対しても表示駆動装置を変更することなく、従来と同様に双方向の信号転送を行うことができ、かつ従来よりも低消費電力で低コストの表示装置を構成することができる。
【産業上の利用可能性】
【０２１９】
本発明にかかる表示駆動装置および表示信号転送装置および表示装置は、カスケード接続対応の表示駆動装置や表示信号転送装置に有用で、特にそれらの装置を備える表示装置に有用である。
【図面の簡単な説明】
【０２２０】
【図１】本発明の第１の実施形態による表示駆動装置の全体構成例と順方向接続モードでの表示信号転送装置の一部分の構成例を示す図
【図２】本発明の第１の実施形態による表示駆動装置の全体構成例と逆方向接続モードでの表示信号転送装置の一部分の構成例を示す図
【図３】本発明の第１の実施形態による表示駆動装置の変形構成例と順方向接続モードでの表示信号転送装置の一部分の構成例を示す図
【図４】本発明の第１の実施形態による表示駆動装置の変形構成例と逆方向接続モードでの表示信号転送装置の一部分の構成例を示す図
【図５】本発明の第１の実施形態による表示駆動装置と順方向接続モードでの表示信号転送装置の一部分に対する電源供給例および基準電圧供給例を示す図
【図６】本発明の第１の実施形態による表示駆動装置と逆方向接続モードでの表示信号転送装置の一部分に対する電源供給例および基準電圧供給例を示す図
【図７】本発明の第１の実施形態のもう１つの実施形態による表示駆動装置の全体構成例と順方向接続モードでの表示信号転送装置の一部分の構成例を示す図
【図８】本発明の第１の実施形態のもう１つの実施形態による表示駆動装置の全体構成例と逆方向接続モードでの表示信号転送装置の一部分の構成例を示す図
【図９】本発明の第１の実施形態のもう１つの実施形態による表示駆動装置の変形構成例と順方向接続モードでの表示信号転送装置の一部分の構成例を示す図
【図１０】本発明の第１の実施形態のもう１つの実施形態による表示駆動装置の変形構成例と逆方向接続モードでの表示信号転送装置の一部分の構成例を示す図
【図１１】本発明の第１の実施形態のもう１つの実施形態による表示駆動装置と順方向接続モードでの表示信号転送装置の一部分に対する電源供給例および基準電圧供給例を示す図
【図１２】本発明の第１の実施形態のもう１つの実施形態による表示駆動装置と逆方向接続モードでの表示信号転送装置の一部分に対する電源供給例および基準電圧供給例を示す図
【図１３】本発明の第３の実施形態による表示駆動装置の全体構成と表示信号転送装置の一部分を示す構成例を示す図
【図１４】本発明の第３の実施形態の電源供給例および基準電圧供給例を示す図
【図１５】本発明の第４の実施形態による表示装置の順方向接続モードでの構成例を示す図
【図１６】本発明の第４の実施形態による表示装置の逆方向接続モードでの構成例を示す図
【図１７】従来の表示信号転送装置の順方向接続モードでの構成例を示す図
【図１８】従来の表示信号転送装置の逆方向接続モードでの構成例を示す図
【図１９】従来の表示信号転送装置の順方向接続モードでの一部分の構成例と表示駆動装置の全体構成例を示す図
【図２０】従来の表示信号転送装置の逆方向接続モードでの一部分の構成例と表示駆動装置の全体構成例を示す図
【図２１】従来の液晶表示装置の構成例を示す図
【図２２】従来の液晶表示装置におけるＴＦＴおよび液晶素子の構成例を示す図
【図２３】本発明の第１の実施形態による表示駆動装置の内部の制御回路の構成例を示す図
【図２４】本発明の第１の実施形態による表示駆動装置の内部の制御回路のもう１つの構成例を示す図
【図２５】本発明にかかる制御回路内の出力選択切換回路の回路構成例を示す図
【図２６】本発明にかかる制御回路内の出力選択切換回路のもう１つの回路構成例を示す図
【図２７】本発明にかかる制御回路内の出力選択切換回路のさらに別の回路構成例を示す図
【図２８】本発明にかかる出力選択切換回路の回路構成例を示す図
【図２９】本発明にかかる出力選択切換回路のもう１つの回路構成例を示す図
【図３０】本発明にかかる出力選択切換回路のさらに別の回路構成例を示す図
【図３１】本発明の第１の実施形態のもう１つの実施形態による表示駆動装置の内部の制御回路の構成例を示す図
【図３２】本発明の第１の実施形態のもう１つの実施形態による表示駆動装置の内部の制御回路のもう１つの構成例を示す図
【図３３】本発明にかかる制御回路内の入力選択切換回路の回路構成例を示す図
【図３４】本発明にかかる制御回路内の入力選択切換回路のもう１つの回路構成例を示す図
【図３５】本発明にかかる入力選択切換回路の回路構成例を示す図
【図３６】本発明にかかる入力選択切換回路のもう１つの回路構成例を示す図
【図３７】従来の基準電圧生成回路の構成例を示す図
【図３８】従来の受信回路の構成例を示す図
【図３９】従来の受信回路のもう１つの構成例を示す図
【図４０】従来の受信回路のさらに別の構成例を示す図
【図４１】従来の送信回路の構成例を示す図
【図４２】従来の送信回路のもう１つの構成例を示す図
【図４３】従来の送信回路のさらに別の構成例を示す図
【図４４】本発明にかかる受信選択切換回路および送信選択切換回路の構成例を示す図
【図４５】本発明にかかるもう１つの受信選択切換回路および送信選択切換回路の構成例を示す図
【図４６】本発明の第２の実施形態による表示駆動装置と表示信号転送装置の一部分に対する電源供給例および基準電圧供給例を示す図
【図４７】本発明の第２の実施形態のもう１つの実施形態による表示駆動装置と表示信号転送装置の一部分に対する電源供給例および基準電圧供給例を示す図
【図４８】本発明の第２の実施形態にかかる受信選択切換回路の構成例を示す図
【図４９】本発明の第２の実施形態にかかる送信選択切換回路の構成例を示す図
【図５０】本発明の第４の実施形態にかかる基準電圧部の接続例を示す図
【図５１】本発明の第４の実施形態にかかる基準電圧部のもう１つの接続例を示す図
【図５２】従来の基準電圧生成回路の差動増幅回路の構成例を示す図
【符号の説明】
【０２２１】
表示駆動装置  Ｄ１０１（ｋ）、Ｄ２０１（ｋ）、Ｄ３０１（ｋ）、Ｄ４０１（ｋ）、Ｄ５０１（ｋ）、Ｄ６０１（ｋ）、Ｄ７０１（ｋ）、Ｄ８０１（ｋ）、Ｄ９０１（ｋ）
受信回路  ＲＸ１１１（ｋ、１）〜ＲＸ１１１（ｋ、ｎ）、ＲＸ１１２（ｋ、１）〜ＲＸ１１２（ｋ、ｎ）、ＲＸ９１１（ｋ、１）〜ＲＸ９１１（ｋ、ｎ）、ＲＸ９１２（ｋ、１）〜ＲＸ９１２（ｋ、ｎ）
送信回路  ＴＸ１１１（ｋ、１）〜ＴＸ１１１（ｋ、ｎ）、ＴＸ１１２（ｋ、１）〜ＴＸ１１２（ｋ、ｎ）、ＴＸ９１１（ｋ、１）〜ＴＸ９１１（ｋ、ｎ）、ＴＸ９１２（ｋ、１）〜ＴＸ９１２（ｋ、ｎ）
制御回路  Ｃ１２０（ｋ）、Ｃ２２０（ｋ）、Ｃ３２０（ｋ）、Ｃ９２０（ｋ）
出力選択切換回路  ＳＷ１４１（ｋ、１）〜ＳＷ１４１（ｋ、ｎ）
入力選択切換回路  ＳＷ２４１（ｋ、１）〜ＳＷ２４１（ｋ、ｎ）
受信選択切換回路  ＳＷＲ１４１（ｋ、１）〜ＳＷＲ１４１（ｋ、ｎ）、ＳＷＲ２４１（ｋ、１）〜ＳＷＲ２４１（ｋ、ｎ）、ＳＷＲ２４２（ｋ、１）〜ＳＷＲ２４２（ｋ、ｎ）、
送信選択切換回路  ＳＷＴ１４１（ｋ、１）〜ＳＷＴ１４１（ｋ、ｎ）ＳＷＴ２４１（ｋ、１）〜ＳＷＴ２４１（ｋ、ｎ）、ＳＷＴ２４２（ｋ、１）〜ＳＷＴ２４２（ｋ、ｎ）
入力端子  Ｘ１（ｋ、１）〜Ｘ１（ｋ、ｎ）、Ｘ２（ｋ、１）〜Ｘ２（ｋ、ｎ）
出力端子  Ｙ１（ｋ、１）〜Ｙ１（ｋ、ｎ）、Ｙ２（ｋ、１）〜Ｙ２（ｋ、ｎ）
入出力端子  Ｚ１（ｋ、１）〜Ｚ１（ｋ、ｎ）、Ｚ２（ｋ、１）〜Ｚ２（ｋ、ｎ）、Ｚ９１（ｋ、１）〜Ｚ９１（ｋ、ｎ）、Ｚ９２（ｋ、１）〜Ｚ９２（ｋ、ｎ）
電源部  Ｐ１３１（ｋ）、Ｐ１３２（ｋ）、Ｐ２３１（ｋ）、Ｐ２３２（ｋ）、Ｐ３３１（ｋ）
基準電圧入力端子  Ｖｒｅｆ（ｋ、１）〜Ｖｒｅｆ（ｋ、Ｌ）
【図１】
2007171592.tif 000003
【図２】
2007171592.tif 000004
【図３】
2007171592.tif 000005
【図４】
2007171592.tif 000006
【図５】
2007171592.tif 000007
【図６】
2007171592.tif 000008
【図７】
2007171592.tif 000009
【図８】
2007171592.tif 000010
【図９】
2007171592.tif 000011
【図１０】
2007171592.tif 000012
【図１１】
2007171592.tif 000013
【図１２】
2007171592.tif 000014
【図１３】
2007171592.tif 000015
【図１４】
2007171592.tif 000016
【図１５】
2007171592.tif 000017
【図１６】
2007171592.tif 000018
【図１７】
2007171592.tif 000019
【図１８】
2007171592.tif 000020
【図１９】
2007171592.tif 000021
【図２０】
2007171592.tif 000022
【図２１】
2007171592.tif 000023
【図２２】
2007171592.tif 000024
【図２３】
2007171592.tif 000025
【図２４】
2007171592.tif 000026
【図２５】
2007171592.tif 000027
【図２６】
2007171592.tif 000028
【図２７】
2007171592.tif 000029
【図２８】
2007171592.tif 000030
【図２９】
2007171592.tif 000031
【図３０】
2007171592.tif 000032
【図３１】
2007171592.tif 000033
【図３２】
2007171592.tif 000034
【図３３】
2007171592.tif 000035
【図３４】
2007171592.tif 000036
【図３５】
2007171592.tif 000037
【図３６】
2007171592.tif 000038
【図３７】
2007171592.tif 000039
【図３８】
2007171592.tif 000040
【図３９】
2007171592.tif 000041
【図４０】
2007171592.tif 000042
【図４１】
2007171592.tif 000043
【図４２】
2007171592.tif 000044
【図４３】
2007171592.tif 000045
【図４４】
2007171592.tif 000046
【図４５】
2007171592.tif 000047
【図４６】
2007171592.tif 000048
【図４７】
2007171592.tif 000049
【図４８】
2007171592.tif 000050
【図４９】
2007171592.tif 000051
【図５０】
2007171592.tif 000052
【図５１】
2007171592.tif 000053
【図５２】
2007171592.tif 000054